(57)【要約】  記録媒体（ＤＶＤ−Ｖｉｄｅｏ３８）から記録データを再生する機能を備え、バッテリ（１６）で駆動可能な電子機器（ＰＣ２）であって、再生前又は再生中の前記バッテリの残容量と前記記録データの再生に必要な消費電力とを比較し、前記消費電力が前記残容量を超える場合には、前記残容量に応じて前記記録データの再生を制御する制御部（１２）を備える構成である。制御部は前記消費電力と前記バッテリの残容量とを比較し、記録媒体の全部再生又は特定の記録データの範囲の再生が可能な再生速度を求め、該再生速度に記録媒体の再生を制御する。
2008041308.tif 000002
【特許請求の範囲】
【請求項１】
記録媒体から記録データを再生する機能を備え、バッテリで駆動可能な電子機器であって、
再生前又は再生中の前記バッテリの残容量と前記記録データの再生に必要な消費電力とを比較し、前記消費電力が前記残容量を超える場合には、前記残容量に応じて前記記録データの再生を制御する制御部を備えることを特徴とする電子機器。
【請求項２】
請求の範囲１の電子機器において、
前記制御部は、前記消費電力と前記バッテリの残容量とを比較し、前記記録媒体の全部再生又は特定の記録データの範囲の再生が可能な再生速度を求め、該再生速度に前記記録媒体の再生を制御することを特徴とする電子機器。
【請求項３】
請求の範囲１の電子機器において、
前記制御部は、前記記録媒体の再生前に、前記バッテリに対する負荷を軽減するための負荷制御を行えば、前記記録媒体の前記記録データの全部再生又は所定範囲の再生が可能であるか否かを判定し、前記再生が可能であれば、前記負荷制御の後、前記記録媒体の再生に移行し、前記再生が不可であれば、前記負荷制御の後、前記バッテリの残容量に応じて前記記録データの再生を制御することを特徴とする電子機器。
【請求項４】
請求の範囲３の電子機器において、
前記負荷制御は、前記記録媒体の再生に直接的に関係しない、一又は複数の機能の停止、機能部の電力編成の変更、又は、一又は複数の機能部の動作停止又は動作変更の何れから選択される一又は２以上によって前記バッテリに対する負荷を低減することを特徴とする電子機器。
【請求項５】
請求の範囲１の電子機器において、
前記記録データは、映像データを含むことを特徴とする電子機器。
【請求項６】
請求の範囲１の電子機器において、
前記バッテリの容量を測定する測定部を備え、
前記バッテリの残容量は、前記測定部で測定された前記容量を用いて算出されることを特徴とする電子機器。
【請求項７】
請求の範囲１の電子機器において、
前記消費電力は、前記記録媒体の全部再生又は前記記録媒体の特定範囲までの再生に予想される消費電力であって、前記記録データのデータ量を用いて算出されたものであることを特徴とする電子機器。
【請求項８】
請求の範囲１の電子機器において、
前記記録データの再生出力及び／又は前記再生出力以外のメッセージを表示する表示部を備え、
前記制御部は、前記消費電力と前記バッテリの残容量とを対比し、前記記録媒体の全部再生又は特定の記録データの範囲までの再生が可能な再生速度の再生モードを含む選択可能な複数の再生モードを前記表示部のダイアログ画面に表示し、前記再生モードから選択された再生モードで前記記録媒体を再生させることを特徴とする電子機器。
【請求項９】
請求の範囲８の電子機器において、
前記表示部に表示した前記ダイアログ表示画面からノーマル再生モードが選択された場合に、前記表示部に警告表示画面を表示し、特定の記録データの範囲で前記記録媒体の再生が停止することを告知することを特徴とする電子機器。
【請求項１０】
請求の範囲４の電子機器において、
前記記録媒体の再生に直接的に関係しない一又は複数の機能は、前記記録媒体の再生に直接的に関係しない一又は複数のアプリケーションであることを特徴とする電子機器。
【請求項１１】
請求の範囲４の電子機器において、
前記機能部の電力編成の変更は、前記制御部の電力スキームの変更であることを特徴とする電子機器。
【請求項１２】
請求の範囲４の電子機器において、
前記記録媒体の再生に直接的に関係しない一又は複数の機能部の動作変更は前記記録データの再生出力を表示する表示部のバックライトの輝度であることを特徴とする電子機器。
【請求項１３】
請求の範囲１２の電子機器において、
前記表示部のバックライトのバックライトレベルを変更した際に、再生に移行する場合には、前記表示部に前記バックライトレベルの変更を表すメッセージを表示することを特徴とする電子機器。
【請求項１４】
記録媒体から記録データを再生する機能を備え、バッテリで駆動可能な電子機器の制御方法であって、
再生前又は再生中の前記バッテリの残容量と前記記録データの再生に必要な消費電力とを比較し、前記消費電力が前記残容量を超える場合には、前記残容量に応じて前記記録データの再生を制御するステップを含むことを特徴とする電子機器の制御方法。
【請求項１５】
請求の範囲１４の電子機器の制御方法において、
前記消費電力と前記バッテリの残容量とを比較し、前記記録媒体の全部再生又は特定の記録データの範囲の再生が可能な再生速度を求め、該再生速度に前記記録媒体の再生を制御するステップを含むことを特徴とする、電子機器の制御方法。
【請求項１６】
請求の範囲１４の電子機器の制御方法において、
前記記録媒体の再生前に、前記バッテリに対する負荷を軽減するための負荷制御を行えば、前記記録媒体の前記記録データの全部再生又は所定範囲の再生が可能であるか否かを判定し、前記再生が可能であれば、前記負荷制御の後、前記記録媒体の再生に移行し、前記再生が不可であれば、前記負荷制御の後、前記バッテリの残容量に応じて前記記録データの再生を制御するステップを含むことを特徴とする、電子機器の制御方法。
【請求項１７】
請求の範囲１６の電子機器の制御方法において、
前記負荷制御は、前記記録媒体の再生に直接的に関係しない、一又は複数の機能の停止、機能部の電力編成の変更、又は、一又は複数の機能部の動作停止又は動作変更の何れから選択される一又は２以上によって前記バッテリに対する負荷を低減させることを特徴とする、電子機器の制御方法。
【請求項１８】
請求の範囲１４の電子機器の制御方法において、
前記消費電力と前記バッテリの残容量とを対比し、前記記録媒体の全部再生又は特定の記録データの範囲までの再生が可能な再生速度の再生モードを含む選択可能な複数の再生モードをダイアログ画面に表示し、前記再生モードから選択された再生モードで前記記録媒体を再生させることを特徴とする、電子機器の制御方法。
【請求項１９】
請求の範囲１４の電子機器の制御方法において、
前記表示部に表示した前記ダイアログ表示画面からノーマル再生モードが選択された場合に、警告表示画面を表示し、特定の記録データの範囲で前記記録媒体の再生が停止することを告知することを特徴とする、電子機器の制御方法。
【請求項２０】
請求の範囲１４の電子機器の制御方法において、
再生出力を表示する表示部のバックライトのバックライトレベルを変更した際に、再生に移行する場合には、前記表示部に前記バックライトレベルの変更を表すメッセージを表示することを特徴とする、電子機器の制御方法。
【請求項２１】
コンピュータによって実行され、記録媒体から記録データを再生する機能を備えてバッテリで駆動可能な電子機器の制御プログラムであって、
再生前又は再生中の前記バッテリの残容量と前記記録データの再生に必要な消費電力とを比較し、前記消費電力が前記残容量を超える場合には、前記残容量に応じて前記記録データの再生を制御するステップを含むことを特徴とする、電子機器の制御プログラム。
【請求項２２】
請求の範囲２１の電子機器の制御プログラムにおいて、
前記消費電力と前記バッテリの残容量とを比較し、前記記録媒体の全部再生又は特定の記録データの範囲の再生が可能な再生速度を求め、該再生速度に前記記録媒体の再生を制御するステップを含むことを特徴とする、電子機器の制御プログラム。
【請求項２３】
請求の範囲２１の電子機器の制御プログラムにおいて、
前記記録媒体の再生前に、前記バッテリに対する負荷を軽減するための負荷制御を行えば、前記記録媒体の前記記録データの全部再生又は所定範囲の再生が可能であるか否かを判定し、前記再生が可能であれば、前記負荷制御の後、前記記録媒体の再生に移行し、前記再生が不可であれば、前記負荷制御の後、前記バッテリの残容量に応じて前記記録データの再生を制御するステップを含むことを特徴とする、電子機器の制御プログラム。
【請求項２４】
請求の範囲２１の電子機器の制御プログラムにおいて、
前記負荷制御は、前記記録媒体の再生に直接的に関係しない、一又は複数の機能の停止、機能部の電力編成の変更、又は、一又は複数の機能部の動作停止又は動作変更の何れから選択される一又は２以上によって前記バッテリに対する負荷を低減するステップを含むことを特徴とする、電子機器の制御プログラム。
【請求項２５】
請求の範囲２１の電子機器の制御プログラムにおいて、
前記消費電力と前記バッテリの残容量とを対比し、前記記録媒体の全部再生又は特定の記録データの範囲までの再生が可能な再生速度の再生モードを含む選択可能な複数の再生モードをダイアログ画面に表示し、前記再生モードから選択された再生モードで前記記録媒体を再生させるステップを含むことを特徴とする、電子機器の制御プログラム。
【請求項２６】
請求の範囲２１の電子機器の制御プログラムにおいて、
前記表示部に表示した前記ダイアログ表示画面からノーマル再生モードが選択された場合に、警告表示画面を表示し、特定の記録データの範囲で前記記録媒体の再生が停止することを告知するステップを含むことを特徴とする、電子機器の制御プログラム。
【請求項２７】
請求の範囲２１の電子機器の制御プログラムにおいて、
再生出力を表示する表示部のバックライトのバックライトレベルを変更した際に、再生に移行する場合には、前記表示部に前記バックライトレベルの変更を表すメッセージを表示させるステップを含むことを特徴とする、電子機器の制御プログラム。
【請求項２８】
記録媒体から記録データを再生する機能を備えてバッテリで駆動可能な電子機器の制御プログラムを格納したコンピュータ読取り可能な記録媒体であって、
前記制御プログラムが、再生前又は再生中の前記バッテリの残容量と前記記録データの再生に必要な消費電力とを比較し、前記消費電力が前記残容量を超える場合には、前記残容量に応じて前記記録データの再生を制御するステップを含むことを特徴とする、電子機器の制御プログラムを格納したコンピュータ読取り可能な記録媒体。
【請求項２９】
請求の範囲２８の電子機器の制御プログラムを格納したコンピュータ読取り可能な記録媒体において、
前記制御プログラムが、前記消費電力と前記バッテリの残容量とを比較し、前記記録媒体の全部再生又は特定の記録データの範囲の再生が可能な再生速度を求め、該再生速度に前記記録媒体の再生を制御するステップを含むことを特徴とする、電子機器の制御プログラムを格納したコンピュータ読取り可能な記録媒体。    
【請求項３０】
請求の範囲２８の電子機器の制御プログラムを格納したコンピュータ読取り可能な記録媒体において、
前記制御プログラムが、前記記録媒体の再生前に、前記バッテリに対する負荷を軽減するための負荷制御を行えば、前記記録媒体の前記記録データの全部再生又は所定範囲の再生が可能であるか否かを判定し、前記再生が可能であれば、前記負荷制御の後、前記記録媒体の再生に移行し、前記再生が不可であれば、前記負荷制御の後、前記バッテリの残容量に応じて前記記録データの再生を制御するステップを含むことを特徴とする、電子機器の制御プログラムを格納したコンピュータ読取り可能な記録媒体。
【請求項３１】
請求の範囲２８の電子機器の制御プログラムを格納したコンピュータ読取り可能な記録媒体において、
前記負荷制御は、前記記録媒体の再生に直接的に関係しない、一又は複数の機能の停止、機能部の電力編成の変更、又は、一又は複数の機能部の動作停止又は動作変更の何れから選択される一又は２以上によって前記バッテリに対する負荷を低減することを特徴とする、電子機器の制御プログラムを格納したコンピュータ読取り可能な記録媒体。
【請求項３２】
請求の範囲２８の電子機器の制御プログラムを格納したコンピュータ読取り可能な記録媒体において、
前記制御プログラムが、前記消費電力と前記バッテリの残容量とを対比し、前記記録媒体の全部再生又は特定の記録データの範囲までの再生が可能な再生速度の再生モードを含む選択可能な複数の再生モードをダイアログ画面に表示し、前記再生モードから選択された再生モードで前記記録媒体を再生させることを特徴とする、電子機器の制御プログラムを格納したコンピュータ読取り可能な記録媒体。
【請求項３３】
請求の範囲２８の電子機器の制御プログラムを格納したコンピュータ読取り可能な記録媒体において、
前記制御プログラムが、前記表示部に表示した前記ダイアログ表示画面からノーマル再生モードが選択された場合に、警告表示画面を表示し、特定の記録データの範囲で前記記録媒体の再生が停止することを告知するステップを含むことを特徴とする、電子機器の制御プログラムを格納したコンピュータ読取り可能な記録媒体。
【請求項３４】
請求の範囲２８の電子機器の制御プログラムを格納したコンピュータ読取り可能な記録媒体において、
前記制御プログラムが、再生出力を表示する表示部のバックライトのバックライトレベルを変更した際に、再生に移行する場合には、前記表示部に前記バックライトレベルの変更を表すメッセージを表示するステップを含むことを特徴とする、電子機器の制御プログラムを格納したコンピュータ読取り可能な記録媒体。
【発明の詳細な説明】
【技術分野】
【０００１】
本発明は、ＤＶＤ−Ｖｉｄｅｏ（Digital Versatile Disc-Video）等の記録媒体から画像等の記録再生をバッテリ駆動で行えるパーソナルコンピュータ（ＰＣ）等、バッテリ駆動時に記録再生が可能な電子機器に関し、特に、バッテリの残容量に応じた再生制御をする電子機器、その制御方法、その制御プログラム及び記録媒体に関する。
【背景技術】
【０００２】
バッテリ駆動が可能なＰＣを用いてＤＶＤ−Ｖｉｄｅｏから映画等の映像再生を行う場合には、再生時間の長いＤＶＤ−Ｖｉｄｅｏの再生には、バッテリによるＰＣの駆動時間を考慮する必要がある。ＰＣを継続的に駆動させるには、バッテリ交換か、商用交流（ＡＣ）電源への切替えが必要である。バッテリ交換には充電済の代替バッテリが必要であるし、ＡＣ電源への切替えにはＡＣアダプタの準備が必要である。【０００３】
このようなバッテリ駆動のＰＣ等の電子機器のＤＶＤ−Ｖｉｄｅｏの再生に関し、特許文献１には、バッテリの残容量を基にして装置の動作可能時間を予測し、この動作可能時間と記録媒体の再生時間とを比較し、動作可能時間が記録媒体の再生時間より短い場合には再生速度を高速化し、動作可能時間内で記録媒体の再生を完了させるように制御する光ディスク再生装置が開示されている。【０００４】
特許文献２には、バッテリの残量が少なくなると、クロック周波数や電圧を下げてＣＰＵの消費電力を低下させることや、演算量の小さいプログラムを実行させ、消費電力を低減させるシステム制御が開示されている。【０００５】
特許文献３には、バッテリの電力残量から記録再生装置の駆動可能時間を算出し、この動作可能時間とメディアデータファイルの再生時間とを比較し、駆動可能時間がメディアデータファイルの再生時間より短く、メディアデータファイルの全部を再生することが不可能である場合に警告を発することが開示されている。【０００６】
特許文献４には、バッテリの残量から再生可能時間を予測し、この再生可能時間よりも短い再生時間のコンテンツを抽出し、そのコンテンツを提示することが開示されている。【０００７】
特許文献５には、テレビ番組コンテンツを記録メディアに記録する記録信号を解析し、テレビ番組コンテンツの重要場面を示す補助データを生成し、この補助データと記録信号とを記録メディアに記録させるとともに、補助データを基に記録信号を再生し、テレビ番組のダイジェストを表示することが開示されている。また、この特許文献５では、バッテリの残量でダイジェスト再生できる時間を算出し、その時間内でダイジェスト再生できる重要度の高いものを優先して再生することが開示されている。【０００８】
特許文献６には、再生中の映画の残り時間とバッテリの残量とを検出し、映画再生が終了するまでに使用可能な電力を算出し、その算出結果に基づき、表示装置の画面輝度を算出し、設定することが開示されている。【０００９】
特許文献７には、ＤＶＤビデオ等の動画再生中にその動画データの復号・再生に関与しない周辺デバイスへの電源供給を遮断することが開示されている。【００１０】
特許文献８には、バッテリ残量を基に動画の再生可能残り時間を算出し、再生可能残り時間で動画を最後まで再生できない場合に、動画の未再生部分のデータを抜粋してプレビューを作成し、それを再生した後、動作停止を行うことが開示されている。【００１１】
また、特許文献９には、設定された希望動作時間と、バッテリの残量に基づく動作可能時間とに基づいて動作条件を変更し、その動作条件になるように動作を制御することが開示されている。
【特許文献１】特開２００５−２３５３４３号公報（要約、段落番号００２６、００２９、図６等）
【特許文献２】特開２００４−１７２６９０号公報（要約、図２等）
【特許文献３】特開２００４−１４５９９７号公報（要約、図１等）
【特許文献４】特開２００５−３３３５８３号公報（要約、図１等）
【特許文献５】特開２００５−３４８０７７号公報（要約、段落番号００７２、図１等）
【特許文献６】特開２００６−３３３２１号公報（要約、図２等）
【特許文献７】特開平１１−１７５２０５号公報（要約、図６等）
【特許文献８】特開２００５−２０４０３０号公報（要約、図３等）
【特許文献９】特開平９−３０５２７２号公報（要約、図９等）
【発明の開示】
【発明が解決しようとする課題】
【００１２】
ところで、バッテリの残容量から動作可能時間を予測し、再生を高速再生に変更したとしても（特許文献１）、高速再生のためには消費電力が増加し、また、高速再生時間が予測した動作可能時間より長い場合には依然として再生中断を避けることができないし、バッテリの残容量が再生中に消失すれば、電源が遮断され、再生中断となる。【００１３】
このような再生中の電源遮断を防止するには、再生可能時間を推測して設定変更やＡＣ電源への切替えが必要である。また、バッテリ駆動下では、再生前に設定変更が再生に影響するか否かの判断や、設定変更が再生に影響するとしても、それを犠牲にしつつ再生することを優先し、設定変更を行った上で再生することを余儀なくされてきた。屋外等の電源選択ができない環境では、設定変更は不可欠であった。【００１４】
このような課題に関し、特許文献１〜９にはその開示はなく、その課題を解決する手段についての開示ないし示唆はない。【００１５】
そこで、本発明の目的は、ＤＶＤ−Ｖｉｄｅｏ等の記録媒体から映像等の記録データの再生に関し、バッテリの残容量に応じた再生を可能にし、再生中断を回避することにある。【００１６】
また、本発明の他の目的は、ＤＶＤ−Ｖｉｄｅｏ等の記録媒体から映像等の記録データの再生に関し、バッテリの残容量に応じた再生速度等による再生を可能にし、再生中断を回避することにある。
【課題を解決するための手段】
【００１７】
上記目的を達成するため、本発明は、記録媒体から記録データを再生する機能を備え、バッテリで駆動可能なＰＣ等、バッテリ駆動で記録媒体から映像等の記録データを再生する電子機器に関し、記録データの再生前又は再生中に前記バッテリの残容量により記録媒体の記録データの全部再生又は所定範囲の再生が可能か否かを判定し、再生が不可能である場合には、前記バッテリの残容量に応じて再生を制御し、記録媒体の記録データの全部再生又は所定範囲の再生を実現する。ここで、記録データの全部再生とは記録データの最初から最後までの全部の再生、所定範囲の再生とは特定の範囲での再生である。斯かる構成により、上記目的を達成する。【００１８】
また、バッテリの残容量で記録媒体の記録データの全部再生又は所定範囲の再生が不可能である場合には、バッテリに対する負荷制御により、バッテリの残容量で記録媒体の記録データの全部再生又は所定範囲の再生が可能である否かを判定し、再生が可能であれば、負荷制御の後、再生に移行し、再生が不可能であれば、負荷制御の後、再生制御を行う。斯かる構成により、上記目的を達成する。【００１９】
具体的には、記録媒体として例えば、ＤＶＤ−Ｖｉｄｅｏでは、記録データのデータ量から再生に要する時間や消費電力を予測し、搭載しているバッテリの残容量に応じて、再生を制御すれば、ＤＶＤ−Ｖｉｄｅｏの全部再生（最初から最後までの再生）が可能となり、再生中断を回避できる。バッテリの残容量によっては、記録媒体の記録内容の最後まで再生できないことが予想されるが、その場合にはその告知を行えばよいし、再生モードを例えば、倍速再生への切替えを選択させればよい。【００２０】
また、バッテリに対する負荷制御により、バッテリの消耗を低減できるから、負荷制御を実行した後、現在のバッテリの残容量に応じて再生を制御する。この結果、ＤＶＤ−Ｖｉｄｅｏの全部再生が可能となり、再生中断を回避できる。【００２１】
また、表示部に表示されたダイアログ表示画面から予め準備された再生速度等を設定する再生モードの選択により、再生速度等の自動設定を可能にし、記録媒体の全部再生や選択可能な再生形態の選択の自由度を拡大している。【００２２】
そこで、上記目的を達成するため、本発明の第１の側面は、記録媒体から記録データを再生する機能を備え、バッテリで駆動可能な電子機器であって、再生前又は再生中の前記バッテリの残容量と前記記録データの再生に必要な消費電力とを比較し、前記消費電力が前記残容量を超える場合には、前記残容量に応じて前記記録データの再生を制御する制御部を備える構成である。斯かる構成により上記目的が達成される。【００２３】
上記目的を達成するためには、上記電子機器において、好ましくは、前記制御部は、前記消費電力と前記バッテリの残容量とを比較し、前記記録媒体の全部再生又は特定の記録データの範囲の再生が可能な再生速度を求め、該再生速度に前記記録媒体の再生を制御する構成としてもよい。斯かる構成によっても、上記目的が達成される。【００２４】
上記目的を達成するためには、上記電子機器において、好ましくは、前記制御部は、前記記録媒体の再生前に、前記バッテリに対する負荷を軽減するための負荷制御を行えば、前記記録媒体の前記記録データの全部再生又は所定範囲の再生が可能であるか否かを判定し、前記再生が可能であれば、前記負荷制御の後、前記記録媒体の再生に移行し、前記再生が不可であれば、前記負荷制御の後、前記バッテリの残容量に応じて前記記録データの再生を制御する構成としてもよい。斯かる構成によっても、上記目的が達成される。【００２５】
上記目的を達成するためには、上記電子機器において、好ましくは、前記負荷制御は、前記記録媒体の再生に直接的に関係しない、一又は複数の機能の停止、機能部の電力編成の変更、又は、一又は複数の機能部の動作停止又は動作変更の何れから選択される一又は２以上によって前記バッテリに対する負荷を低減する構成としてもよい。斯かる構成によっても、上記目的が達成される。【００２６】
上記目的を達成するためには、上記電子機器において、好ましくは、前記記録データは、映像データを含む構成としてもよい。斯かる構成によっても、上記目的が達成される。【００２７】
上記目的を達成するためには、上記電子機器において、好ましくは、前記バッテリの容量を測定する測定部を備え、前記バッテリの残容量は、前記測定部で測定された前記容量を用いて算出される構成としてもよい。斯かる構成によっても、上記目的が達成される。【００２８】
上記目的を達成するためには、上記電子機器において、好ましくは、前記消費電力は、前記記録媒体の全部再生又は前記記録媒体の特定範囲までの再生に予想される消費電力であって、前記記録データのデータ量を用いて算出されたものである構成としてもよい。斯かる構成によっても、上記目的が達成される。【００２９】
上記目的を達成するためには、上記電子機器において、好ましくは、前記記録データの再生出力及び／又は前記再生出力以外のメッセージを表示する表示部を備え、前記制御部は、前記消費電力と前記バッテリの残容量とを対比し、前記記録媒体の全部再生又は特定の記録データの範囲までの再生が可能な再生速度の再生モードを含む選択可能な複数の再生モードを前記表示部のダイアログ画面に表示し、前記再生モードから選択された再生モードで前記記録媒体を再生させる構成としてもよい。斯かる構成によっても、上記目的が達成される。【００３０】
上記目的を達成するためには、上記電子機器において、好ましくは、前記表示部に表示した前記ダイアログ表示画面からノーマル再生モードが選択された場合に、前記表示部に警告表示画面を表示し、特定の記録データの範囲で前記記録媒体の再生が停止することを告知する構成としてもよい。斯かる構成によっても、上記目的が達成される。【００３１】
上記目的を達成するためには、上記電子機器において、好ましくは、前記記録媒体の再生に直接的に関係しない一又は複数の機能は、前記記録媒体の再生に直接的に関係しない一又は複数のアプリケーションである構成としてもよい。斯かる構成によっても、上記目的が達成される。【００３２】
上記目的を達成するためには、上記電子機器において、好ましくは、前記機能部の電力編成の変更は、前記制御部の電力スキームの変更である構成としてもよい。斯かる構成によっても、上記目的が達成される。【００３３】
上記目的を達成するためには、上記電子機器において、好ましくは、前記記録媒体の再生に直接的に関係しない一又は複数の機能部の動作変更は前記記録データの再生出力を表示する表示部のバックライトの輝度である構成としてもよい。斯かる構成によっても、上記目的が達成される。【００３４】
上記目的を達成するためには、上記電子機器において、好ましくは、前記表示部のバックライトのバックライトレベルを変更した際に、再生に移行する場合には、前記表示部に前記バックライトレベルの変更を表すメッセージを表示する構成としてもよい。斯かる構成によっても、上記目的が達成される。【００３５】
また、上記目的を達成するため、本発明の第２の側面は、記録媒体から記録データを再生する機能を備え、バッテリで駆動可能な電子機器の制御方法であって、再生前又は再生中の前記バッテリの残容量と前記記録データの再生に必要な消費電力とを比較し、前記消費電力が前記残容量を超える場合には、前記残容量に応じて前記記録データの再生を制御するステップを含む構成である。斯かる構成により上記目的が達成される。【００３６】
上記目的を達成するためには、上記電子機器の制御方法において、好ましくは、前記消費電力と前記バッテリの残容量とを比較し、前記記録媒体の全部再生又は特定の記録データの範囲の再生が可能な再生速度を求め、該再生速度に前記記録媒体の再生を制御するステップを含む構成である。斯かる構成によっても、上記目的が達成される。【００３７】
上記目的を達成するためには、上記電子機器の制御方法において、好ましくは、前記記録媒体の再生前に、前記バッテリに対する負荷を軽減するための負荷制御を行えば、前記記録媒体の前記記録データの全部再生又は所定範囲の再生が可能であるか否かを判定し、前記再生が可能であれば、前記負荷制御の後、前記記録媒体の再生に移行し、前記再生が不可であれば、前記負荷制御の後、前記バッテリの残容量に応じて前記記録データの再生を制御するステップを含む構成である。斯かる構成によっても、上記目的が達成される。【００３８】
上記目的を達成するためには、上記電子機器の制御方法において、好ましくは、前記負荷制御は、前記記録媒体の再生に直接的に関係しない、一又は複数の機能の停止、機能部の電力編成の変更、又は、一又は複数の機能部の動作停止又は動作変更の何れから選択される一又は２以上によって前記バッテリに対する負荷を低減させる構成である。斯かる構成によっても、上記目的が達成される。【００３９】
上記目的を達成するためには、上記電子機器の制御方法において、好ましくは、前記消費電力と前記バッテリの残容量とを対比し、前記記録媒体の全部再生又は特定の記録データの範囲までの再生が可能な再生速度の再生モードを含む選択可能な複数の再生モードをダイアログ画面に表示し、前記再生モードから選択された再生モードで前記記録媒体を再生させる構成である。斯かる構成によっても、上記目的が達成される。【００４０】
上記目的を達成するためには、上記電子機器の制御方法において、好ましくは、前記表示部に表示した前記ダイアログ表示画面からノーマル再生モードが選択された場合に、警告表示画面を表示し、特定の記録データの範囲で前記記録媒体の再生が停止することを告知する構成である。斯かる構成によっても、上記目的が達成される。【００４１】
上記目的を達成するためには、上記電子機器の制御方法において、好ましくは、再生出力を表示する表示部のバックライトのバックライトレベルを変更した際に、再生に移行する場合には、前記表示部に前記バックライトレベルの変更を表すメッセージを表示する構成である。斯かる構成によっても、上記目的が達成される。【００４２】
また、上記目的を達成するため、本発明の第３の側面は、コンピュータによって実行され、記録媒体から記録データを再生する機能を備えてバッテリで駆動可能な電子機器の制御プログラムであって、再生前又は再生中の前記バッテリの残容量と前記記録データの再生に必要な消費電力とを比較し、前記消費電力が前記残容量を超える場合には、前記残容量に応じて前記記録データの再生を制御するステップを含む構成である。斯かる構成により上記目的が達成される。【００４３】
上記目的を達成するためには、上記電子機器の制御プログラムにおいて、好ましくは、前記消費電力と前記バッテリの残容量とを比較し、前記記録媒体の全部再生又は特定の記録データの範囲の再生が可能な再生速度を求め、該再生速度に前記記録媒体の再生を制御するステップを含む構成である。斯かる構成によっても、上記目的が達成される。【００４４】
上記目的を達成するためには、上記電子機器の制御プログラムにおいて、好ましくは、前記記録媒体の再生前に、前記バッテリに対する負荷を軽減するための負荷制御を行えば、前記記録媒体の前記記録データの全部再生又は所定範囲の再生が可能であるか否かを判定し、前記再生が可能であれば、前記負荷制御の後、前記記録媒体の再生に移行し、前記再生が不可であれば、前記負荷制御の後、前記バッテリの残容量に応じて前記記録データの再生を制御するステップを含む構成である。斯かる構成によっても、上記目的が達成される。【００４５】
上記目的を達成するためには、上記電子機器の制御プログラムにおいて、好ましくは、前記負荷制御は、前記記録媒体の再生に直接的に関係しない、一又は複数の機能の停止、機能部の電力編成の変更、又は、一又は複数の機能部の動作停止又は動作変更の何れから選択される一又は２以上によって前記バッテリに対する負荷を低減するステップを含む構成である。斯かる構成によっても、上記目的が達成される。【００４６】
上記目的を達成するためには、上記電子機器の制御プログラムにおいて、好ましくは、前記消費電力と前記バッテリの残容量とを対比し、前記記録媒体の全部再生又は特定の記録データの範囲までの再生が可能な再生速度の再生モードを含む選択可能な複数の再生モードをダイアログ画面に表示し、前記再生モードから選択された再生モードで前記記録媒体を再生させるステップを含む構成である。斯かる構成によっても、上記目的が達成される。【００４７】
上記目的を達成するためには、上記電子機器の制御プログラムにおいて、好ましくは、前記表示部に表示した前記ダイアログ表示画面からノーマル再生モードが選択された場合に、警告表示画面を表示し、特定の記録データの範囲で前記記録媒体の再生が停止することを告知するステップを含む構成である。斯かる構成によっても、上記目的が達成される。【００４８】
上記目的を達成するためには、上記電子機器の制御プログラムにおいて、好ましくは、再生出力を表示する表示部のバックライトのバックライトレベルを変更した際に、再生に移行する場合には、前記表示部に前記バックライトレベルの変更を表すメッセージを表示させるステップを含む構成である。斯かる構成によっても、上記目的が達成される。【００４９】
また、上記目的を達成するため、本発明の第４の側面は、記録媒体から記録データを再生する機能を備えてバッテリで駆動可能な電子機器の制御プログラムを格納したコンピュータ読取り可能な記録媒体であって、前記制御プログラムが、再生前又は再生中の前記バッテリの残容量と前記記録データの再生に必要な消費電力とを比較し、前記消費電力が前記残容量を超える場合には、前記残容量に応じて前記記録データの再生を制御するステップを含む構成である。斯かる構成により、上記目的が達成される。【００５０】
上記目的を達成するためには、上記電子機器の制御プログラムを格納したコンピュータ読取り可能な記録媒体において、好ましくは、前記制御プログラムが、前記消費電力と前記バッテリの残容量とを比較し、前記記録媒体の全部再生又は特定の記録データの範囲の再生が可能な再生速度を求め、該再生速度に前記記録媒体の再生を制御するステップを含む構成である。斯かる構成により、上記目的が達成される。【００５１】
上記目的を達成するためには、上記電子機器の制御プログラムを格納したコンピュータ読取り可能な記録媒体において、好ましくは、前記制御プログラムが、前記記録媒体の再生前に、前記バッテリに対する負荷を軽減するための負荷制御を行えば、前記記録媒体の前記記録データの全部再生又は所定範囲の再生が可能であるか否かを判定し、前記再生が可能であれば、前記負荷制御の後、前記記録媒体の再生に移行し、前記再生が不可であれば、前記負荷制御の後、前記バッテリの残容量に応じて前記記録データの再生を制御するステップを含む構成である。斯かる構成により、上記目的が達成される。【００５２】
上記目的を達成するためには、上記電子機器の制御プログラムを格納したコンピュータ読取り可能な記録媒体において、好ましくは、前記負荷制御は、前記記録媒体の再生に直接的に関係しない、一又は複数の機能の停止、機能部の電力編成の変更、又は、一又は複数の機能部の動作停止又は動作変更の何れから選択される一又は２以上によって前記バッテリに対する負荷を低減する構成である。斯かる構成により、上記目的が達成される。【００５３】
上記目的を達成するためには、上記電子機器の制御プログラムを格納したコンピュータ読取り可能な記録媒体において、好ましくは、前記制御プログラムが、前記消費電力と前記バッテリの残容量とを対比し、前記記録媒体の全部再生又は特定の記録データの範囲までの再生が可能な再生速度の再生モードを含む選択可能な複数の再生モードをダイアログ画面に表示し、前記再生モードから選択された再生モードで前記記録媒体を再生させる構成である。斯かる構成により、上記目的が達成される。【００５４】
上記目的を達成するためには、上記電子機器の制御プログラムを格納したコンピュータ読取り可能な記録媒体において、好ましくは、前記制御プログラムが、前記表示部に表示した前記ダイアログ表示画面からノーマル再生モードが選択された場合に、警告表示画面を表示し、特定の記録データの範囲で前記記録媒体の再生が停止することを告知するステップを含む構成である。斯かる構成により、上記目的が達成される。【００５５】
上記目的を達成するためには、上記電子機器の制御プログラムを格納したコンピュータ読取り可能な記録媒体において、好ましくは、前記制御プログラムが、前記制御プログラムが、再生出力を表示する表示部のバックライトのバックライトレベルを変更した際に、再生に移行する場合には、前記表示部に前記バックライトレベルの変更を表すメッセージを表示するステップを含む構成である。斯かる構成により、上記目的が達成される。
【発明の効果】
【００５６】
本発明によれば、次のような効果が得られる。【００５７】
(1) バッテリの残容量に応じてＤＶＤ−Ｖｉｄｅｏ等の記録媒体の再生制御が行われるので、記録媒体の全部再生又は所望の再生範囲までの再生を完了させることができ、再生中断を防止できる。【００５８】
(2) 再生速度のマニュアル設定等の手間が省け、操作の簡略化とともに、再生開始の迅速化を図ることができる。【００５９】
(3) 屋外や交通機関による移動中等においても、バッテリの残容量に注意を払うことなく、記録媒体の全部再生又は所望の再生範囲までの再生が可能であり、再生中断を防止できる。【００６０】
そして、本発明の他の目的、特徴及び利点は、添付図面及び各実施の形態を参照することにより、一層明確になるであろう。
【図面の簡単な説明】
【００６１】
【図１】本発明の第１の実施の形態に係るパーソナルコンピュータの構成例を示すブロック図である。
【図２】ＨＤの構成例を示す図である。
【図３】再生制御方法の処理手順の一例を示すフローチャートである。
【図４】再生制御方法及び再生制御プログラムの処理手順の一例を示すフローチャートである。
【図５】再生制御方法及び再生制御プログラムの処理手順の一例を示すフローチャートである。
【図６】ＤＶＤ処理の処理手順の一例を示すフローチャートである。
【図７】ビットレートの時間的変化を示す図である。
【図８】バッテリ処理の処理手順の一例を示すフローチャートである。
【図９】倍速フローの処理手順の一例を示すフローチャートである。
【図１０】データテーブルの一例を示す図である。
【図１１】警告メッセージ表示（バックライトのレベル変更）の一例を示す図である。
【図１２】選択ダイアログの表示画面の一例を示す図である。
【図１３】警告メッセージ表示（再生ストップ）の一例を示す図である。
【図１４】警告メッセージ表示（再生終了）の一例を示す図である。
【図１５】ＤＶＤの各チャプタの消費電力の演算処理の一例を示す図である。
【図１６】バッテリの残り時間の演算処理の一例を示す図である。
【図１７】再生可能な残り時間を示す画面表示の一例を示す図である。
【図１８】再生可能な残り時間を示す画面表示の一例を示す図である。
【図１９】第２の実施の形態に係る再生制御方法の処理手順の一例を示すフローチャートである。
【図２０】再生制御方法及び再生制御プログラムの処理手順の一例を示すフローチャートである。
【図２１】第３の実施の形態に係る再生制御方法の処理手順の一例を示すフローチャートである。
【図２２】再生制御方法及び再生制御プログラムの処理手順の一例を示すフローチャートである。
【図２３】第４の実施の形態に係る再生制御方法及び再生制御プログラムの処理手順の一例を示すフローチャートである。
【図２４】選択ダイアログの表示画面の一例を示す図である。
【図２５】第５の実施の形態に係るＰＣの一例を示す図である。
【符号の説明】
【００６２】
２  ＰＣ（パーソナルコンピュータ）
４  電源部
６  媒体読取り部
８  表示部
１０  音声部
１２  制御部
１６  バッテリ
３４  バッテリ容量検出部
３８  ＤＶＤ−Ｖｉｄｅｏ（記録媒体）
４２  バックライト
５６  電源制御部
５８  バックライト制御部
６０  入力制御部
【発明を実施するための最良の形態】
【００６３】
〔第１の実施の形態〕【００６４】
本発明の第１の実施の形態について、図１を参照して説明する。図１は、第１の実施の形態に係るパーソナルコンピュータ（ＰＣ）の構成例を示すブロック図である。【００６５】
このＰＣ２は、ＤＶＤ−Ｖｉｄｅｏ等の記録媒体から映像等を再生する機能を備え、内部電源であるバッテリを用いて駆動可能な電子機器の一例であって、電源部４と、媒体読取り部６と、表示部８と、音声部１０と、制御部１２とを備えている。【００６６】
電源部４は、バッテリ１６又は外部電源であるＡＣアダプタ１８を用いて制御部１２等の各種機能部に給電するための機能部である。この電源部４には、充電可能な蓄電池であるバッテリ１６が搭載されているとともに、ＡＣアダプタ１８がコネクタ２０に接続される。ＡＣアダプタ１８は、商用交流（ＡＣ）電源２２の供給を受け、その交流を直流に変換する交流−直流変換器であって、ＰＣ２の外部電源を構成し、所定の直流電圧を出力してＰＣ２に供給する。【００６７】
電源スイッチ２４が導通している場合、ＡＣアダプタ１８の出力は、電源回路２６及び充電回路２８に加えられる。電源回路２６は、ＡＣアダプタ１８又はバッテリ１６の出力を受け、制御部１２等の各種機能部に対して直流安定化出力を供給する。充電回路２８は、ＡＣアダプタ１８の出力により、バッテリ１６を充電するための回路である。電源スイッチ２４と電源回路２６との間に接続されているダイオード３０は、電源回路２６と充電回路２８とを分離し、絶縁するための絶縁手段である。また、バッテリ１６の出力はダイオード３１、３３を通して電源回路２６に加えられるが、その場合、ＡＣアダプタ１８の出力が充電回路２８に加えられていれば、充電回路２８の出力は、ダイオード３１を介してバッテリ１６が充電状態（フローティング充電）となる。ダイオード３１は、バッテリ駆動時の充電回路２８とバッテリ１６との絶縁手段である。【００６８】
また、ＡＣアダプタ１８の接続の解除又は電源スイッチ２４のオフ状態では、バッテリ１６の充電が解除されるとともに、電源回路２６にはバッテリ１６の出力のみが加えられ、バッテリ１６は放電状態となる。【００６９】
そこで、電源部４には、ＡＣアダプタ１８の有無を検出するＡＣアダプタ検出部３２と、バッテリ１６の残容量の測定や演算に用いられるバッテリ容量を検出するバッテリ容量検出部３４とが備えられている。ＡＣアダプタ検出部３２は、ＡＣアダプタ１８のコネクタ２０への接続に基づき、電源スイッチ２４のオン／オフやその出力により、ＡＣアダプタ１８の接続、即ち、ＡＣアダプタ１８の出力の供給の有無を検出する。この検出情報は、制御部１２に取り込まれ、再生制御に用いられる。また、バッテリ１６の容量検出部３４は、電源回路２６に接続されたバッテリ１６の現在の容量を検出する。この検出情報は、制御部１２に取り込まれ、バッテリ１６の現在の容量や残容量の測定や演算に用いられる。【００７０】
媒体読取り部６は、記録媒体から映像情報や音声情報を読み取る読取り部であって、例えば、ＤＶＤドライブ３６や他の媒体ドライブ３７で構成される。ＤＶＤドライブ３６は、記録媒体として例えば、ＤＶＤ−Ｖｉｄｅｏ３８から映像情報、音声情報の他、ビットレート情報等を読み取る。これらの情報は、制御部１２に取り込まれ、映像情報を映像に変換し、音声情報を音声に変換し、また、ビットレート情報は再生制御に用いられる。この実施の形態ではＤＶＤ−Ｖｉｄｅｏ３８の再生を例示しているが、媒体ドライブ３７を用いて他の記録媒体から映像情報や音声情報を読み取る構成としてもよい。【００７１】
表示部８は、再生された映像情報を映像として再生、出力する出力部であって、液晶表示部４０及びバックライト４２を備えている。液晶表示部４０は、ＬＣＤ（Liquid Crystal Display）で構成され、バックライト４２は蛍光管等の光源で構成され、ＬＣＤの背面側から前面側に光を照射する。このバックライト４２の輝度（バックライトレベル）は、駆動電流等により制御される。【００７２】
音声部１０は、再生された音声情報を音声に変換する変換部であって、オーディオコーデック部４４及びスピーカ４６等を備える。オーディオコーデック部４４は、音声情報を音声信号に変換し、スピーカ４６に出力する。スピーカ４６は、音声信号を音声に変換する。【００７３】
制御部１２は、オペレーティングシステム（ＯＳ）や再生制御プログラム等、各種プログラムの実行に基づき、検出情報や制御情報を参照し、電源部４や表示部８の制御を行う。この制御部１２には、ＣＰＵ（Central Processing Unit ）４８、記憶部５０、ノースブリッジ５２、サウスブリッジ５４、電源制御部５６、バックライト制御部５８、入力制御部６０が備えられている。【００７４】
ＣＰＵ４８は、記憶部５０にあるＯＳや再生制御プログラム等を実行し、演算処理や各部の制御を行う。記憶部５０は、プログラムや情報を記憶する記録媒体であって、例えば、ＲＯＭ（Read-Only Memory）としてのＨＤ（Hard Disc ）６２やＲＡＭ（Random-Access Memory）６４を備えている。ＨＤ６２はサウスブリッジ５４に接続され、ＯＳやアプリケーションプログラム等が格納される。また、ＲＡＭ６４は、ノースブリッジ５２に接続され、ＯＳや再生制御プログラムのロードにより、ワーキングエリアとして用いられる。記憶部５０は、外部の記憶装置を用いてもよい。【００７５】
記憶部５０のＨＤ６２には例えば、図２に示すように、プログラム格納領域６６、データ格納領域６８等が設定され、プログラム格納領域６６には、ＯＳ６６２や再生アプリケーション等を含む再生制御プログラム６６４等のアプリケーションが格納され、データ格納領域６８には、データテーブル６８２が設定される他、再生速度に対応する電力情報、消費電力の演算結果等の各種の情報が格納される。【００７６】
ノースブリッジ５２及びサウスブリッジ５４はチップセットを構成し、ノースブリッジ５２は、ＣＰＵ４８とメインメモリとの間の演算情報等の受渡し、サウスブリッジ５４は、ＣＰＵ４８に対する外部情報等の入出力に用いられる。【００７７】
電源制御部５６は、電源回路２６から給電され、ＰＣ２の電力構成（電力スキーム）や、バックライト制御部５８に対する給電を制御する。【００７８】
バックライト制御部５８は、ＣＰＵ４８によって制御され、バックライト４２に加えられる駆動電流等を制御する。具体的には、この制御により、バックライト４２の輝度（バックライトレベル）が制御される。【００７９】
入力制御部６０には、キーボード等の入力操作部７０が接続され、入力操作部７０からの入力情報をＣＰＵ４８に伝送する。【００８０】
このようなＰＣ２において、外部電源であるＡＣアダプタ１８による駆動か、内部電源であるバッテリ１６による駆動かの判断に基づき、バッテリ１６による駆動では、バッテリ１６の残容量でＤＶＤ−Ｖｉｄｅｏ３８の最初から最後までの再生（全部再生）又はＤＶＤ−Ｖｉｄｅｏ３８の記録データの特定範囲の再生が可能であるか否かの判断を行い、再生が可能であれば、再生に移行し、再生が不可能であれば、バッテリ１６の電力消費を軽減するための段階的な負荷制御を行い、再生が可能であれば、再生に移行させる。負荷制御は、一又は複数の機能の停止、機能部の電力編成の変更、又は、一又は複数の機能部の動作停止又は動作変更の何れから選択される一又は２以上によってバッテリ１６に対する負荷を低減することであって、例えば、再生に不要なアプリケーションの終了、ＰＣ２の電力編成（パワースキーム）の変更、表示部８のバックライト４２の輝度（バックライトレベル）の変更である。【００８１】
このような段階的な負荷制御により、ＤＶＤ−Ｖｉｄｅｏ３８の全部再生又はその記録データの特定範囲の再生が可能であるか否かの判断を行い、可能であれば、負荷制御の後、再生に移行させ、不可能であれば、バッテリ１６の残容量に補正し、その残容量に応じてＤＶＤ−Ｖｉｄｅｏ３８の再生速度の変更等、その再生を制御する。負荷制御により電力消費を軽減させた場合には、その軽減比率に応じてバッテリ１６の残容量を補正することにより、その残容量に応じて、ＤＶＤ−Ｖｉｄｅｏ３８の再生速度の変更等、その再生を制御する。【００８２】
このような負荷制御及び／又は再生制御によれば、ＤＶＤ−Ｖｉｄｅｏ３８の全部再生又は記録データの特定範囲の再生を自動化することができ、ＤＶＤ−Ｖｉｄｅｏ３８を再生中断させることなく、再生できる。また、再生速度のマニュアル設定等の手間が省け、操作の簡略化とともに、再生開始の迅速化を図ることができる。【００８３】
次に、このＰＣ２の映像再生制御について、図３を参照して説明する。図３は、ＰＣ２を用いた映像再生制御方法の処理手順の一例を示すフローチャートである。【００８４】
この映像再生制御方法には、駆動電源の判定（ステップＳ１）、バッテリ容量での記録媒体の全部再生の可否判定（ステップＳ２）、負荷制御及び全部再生の可否判定（ステップＳ３）、再生モードの選択及び警告表示（ステップＳ４）、再生処理（ステップＳ５）の処理が含まれる。ステップＳ２には警告表示を含む構成としてもよい。この処理では、再生処理の後、処理を終了しているが、再生処理の途上でステップＳ２に戻り、処理を循環させる構成としてもよいことは勿論である。【００８５】
１．駆動電源の判定処理（ステップＳ１）【００８６】
この処理では、バッテリ１６による駆動か、ＡＣアダプタ１８による駆動かを判定する。ＤＶＤ−Ｖｉｄｅｏ再生アプリケーションを起動させれば、ＡＣアダプタ検出部３２の検出出力がＣＰＵ４８に取り込まれ、ＡＣアダプタ１８の出力チェックが行われる。ＡＣアダプタ１８の出力が電源部４に加えられていれば、十分な駆動電力が得られるので、再生処理（ステップＳ５）に移行する。ＡＣアダプタ１８が接続されていなければ、また、ＡＣアダプタ１８が接続されていても十分な駆動電力が得られなければ、バッテリ１６による駆動に移行する。駆動電源としてバッテリ１６が選択された場合には、再生処理（ステップＳ５）の前に以下の処理を実行する。【００８７】
２．記録媒体の全部再生の可否判定（ステップＳ２）【００８８】
この再生制御では、ＤＶＤ−Ｖｉｄｅｏ３８の全部再生、即ち、最初から最後までの再生が可能であるか否かが前提となる。そこで、このＤＶＤ−Ｖｉｄｅｏ３８の全部再生のための消費電力と、バッテリ１６の残容量とを算出する。【００８９】
そこで、媒体読取り部６のＤＶＤドライブ３６にセットされたＤＶＤ−Ｖｉｄｅｏ３８からＤＶＤドライブ３６を通してＤＶＤ−Ｖｉｄｅｏ３８の再生時間等を表す情報を読み取り、ＰＣ２がその再生のために消費する電力を算出する。これが消費電力である。ＤＶＤ−Ｖｉｄｅｏ３８の情報の読取りやその再生時間を取得すれば、ＤＶＤ−Ｖｉｄｅｏ３８の再生に必要な消費電力は、録画中のシーンに関係なく、消費電力はほぼ一定であることから、ＤＶＤ−Ｖｉｄｅｏ３８の全部再生（最初から最後まで）の場合の消費電力が算出できる。【００９０】
また、バッテリ容量検出部３４では現在のバッテリ１６の容量が検出される。この検出情報を用いることにより、バッテリ１６の残容量を算出する。【００９１】
そこで、バッテリ１６の残容量が消費電力より大であれば、ＤＶＤ−Ｖｉｄｅｏ３８の全部再生が可能であるから、再生処理（ステップＳ５）に移行し、バッテリ１６の残容量が消費電力より小であれば、ＤＶＤ−Ｖｉｄｅｏ３８の全部再生は不可能であり、再生中断が生じることになる。【００９２】
この場合、バッテリ１６の残容量をＰＣ２の再生動作時間に換算し、この再生動作時間とＤＶＤ−Ｖｉｄｅｏ３８の全部再生の再生時間とを比較し、両者の長短により、全部再生が可能か否かを判断してもよい。【００９３】
ＤＶＤ−Ｖｉｄｅｏ３８の全部再生が不可能であれば、以下の処理を実行することになる。【００９４】
３．負荷制御及び全部再生の可否判定（ステップＳ３）【００９５】
バッテリ１６の残容量では、ＤＶＤ−Ｖｉｄｅｏ３８の全部再生が不可能な場合には、バッテリ１６の消耗の抑制処理として、負荷制御を実行する。この負荷制御は段階的に行い、その低減段階でＤＶＤ−Ｖｉｄｅｏ３８の全部再生が可能であるか否かを判断する。【００９６】
３．１  不要なアプリケーションの終了【００９７】
ＤＶＤ−Ｖｉｄｅｏ３８の再生に不要なアプリケーションを終了させ、そのアプリケーションの終了によりバッテリ１６に対する負荷を低減させた場合のパワーチェック（パワーチェックＡ）を行う。不要なアプリケーションとは、例えば、インターネット検索プログラムやメールプログラム等である。この負荷の低減は、その分だけバッテリ１６の残容量を増加したことと等価である。そこで、不要なアプリケーションの終了により負荷を低減すれば、ＤＶＤ−Ｖｉｄｅｏ３８の全部再生が可能か否かを判定する。全部再生が可能であれば、再生処理（ステップＳ５）に移行し、不可能な場合には、次の段階の消費電力低減に移行する。【００９８】
３．２  ＣＰＵ性能の低下【００９９】
不要なアプリケーションの終了（３．１）に加え、ＣＰＵ４８の性能を低下させる。これにより、バッテリ１６に対する負荷を更に低減させることができる。バッテリ１６に対する負荷を低減させた場合のパワーチェック（パワーチェックＢ）を行う。この消費電力の低減は、その分だけバッテリ１６の残容量を増加したことと等価である。そこで、ＣＰＵ４８の性能を低下させれば、ＤＶＤ−Ｖｉｄｅｏ３８の全部再生が可能か否かを判定する。全部再生が可能であれば、再生処理（ステップＳ５）に移行し、不可能な場合には、次の段階の消費電力低減に移行する。【０１００】
３．３  バックライト４２の輝度低減【０１０１】
不要なアプリケーションの終了（３．１）、ＣＰＵ４８の性能低下（３．２）に加え、ＤＶＤ−Ｖｉｄｅｏ３８の全部再生が可能なバックライト４２の輝度（バックライトレベル）を算出して低減させ、パワーチェック（パワーチェックＣ）を行う。即ち、算出したバックライトレベルにより、ＤＶＤ−Ｖｉｄｅｏ３８の全部再生が可能か否かを判定し、全部再生が可能であれば、再生処理（ステップＳ５）に移行し、不可能な場合には、次の再生モードの変更に移行する。【０１０２】
バックライトレベルの低減は表示部８のバックライト４２に対する駆動電流を低減させればよい。また、バックライトレベルを低減させた場合には、そのレベル低下を警告メッセージ（図１１）により告知し、再生に移行する（ステップＳ５）。【０１０３】
４．再生モードの選択及び警告表示（ステップＳ４）【０１０４】
このような消費電力の低減処理（ステップＳ３）を行っても、ＤＶＤ−Ｖｉｄｅｏ３８の全部再生ができない場合には、全部再生が可能な複数の再生モード（高速再生モード、部分高速再生モード）、その他の再生モード（ノーマル再生、再生停止）をダイアログ表示画面（図１２）によって提示し、ユーザに再生モードを選択させ、再生に移行する（ステップＳ５）。その際、全部再生が不可能な再生モードが選択された場合には、警告メッセージ（図１３）により告知し、再生に移行する（ステップＳ５）。【０１０５】
選択可能な再生モードには、次の再生モードがある。【０１０６】
４．１  高速再生モード【０１０７】
ＤＶＤ−Ｖｉｄｅｏ３８のビットレートを検出し、そのビットレートに変動値を考慮し、全部再生に必要な倍速値を求める。この倍速値にはノーマル再生の再生速度に対する例えば、１．２倍、１．５倍、１．８倍、２倍、３倍、４倍・・・・等が設定されており、これらの倍速値から全部再生が可能な倍速値を選択する。従って、高速再生モードでは、設定された倍速値を以て映像及び音声が再生される。【０１０８】
４．２  部分高速再生モード【０１０９】
部分高速再生モードでは、一部分を高速再生モードとし、他の部分をノーマル再生モードでＤＶＤ−Ｖｉｄｅｏ３８を再生する。この場合も、全部再生が前提であり、全部再生のために必要な高速再生部分と、ノーマル再生部分とが求められる。例えば、ハイライト部分をノーマル再生モードとし、他の部分を高速再生モードとする等である。【０１１０】
４．３  ノーマル再生モード【０１１１】
この再生モードは、ノーマル速度の再生である。【０１１２】
次に、再生制御の処理手順について、図４及び図５を参照して説明する。図４及び図５は、再生制御方法及び再生制御プログラムの処理手順の一例を示すフローチャートである。図４及び図５において、Ａ及びＢはフローチャート間の連結部を示している。また、図４及び図５において、図３のフローチャートと共通部分には共通符号を付してある。【０１１３】
図４に示すように、ＤＶＤ−Ｖｉｄｅｏ３８を再生する場合には、再生アプリケーションを起動させる。再生アプリケーションは、再生制御プログラムの一例であって、記憶部５０のＨＤ６２からＲＡＭ６４にＯＳ上に展開される。【０１１４】
ＤＶＤ−Ｖｉｄｅｏ３８の再生に先立ち、ＰＣ２にＡＣアダプタ１８が有るか否かを判定する（ステップＳ１１）。この判定は、ＡＣアダプタ１８から給電が可能であるか否かの判定である。ＡＣアダプタ１８が接続されている場合には、ＡＣ電源２２による駆動、ＡＣアダプタ１８が接続されていない場合には、バッテリ１６による駆動となる。【０１１５】
そこで、ＡＣアダプタ１８が接続されていれば（ステップＳ１１のＹＥＳ）、ステップＳ１２ないしステップＳ２１を経ることなく、ＤＶＤ−Ｖｉｄｅｏ３８の再生に移行する（ステップＳ２２）。【０１１６】
ＡＣアダプタ１８の接続がなければ（ステップＳ１１のＮＯ）、バッテリ１６の残容量を検出する（ステップＳ１２）。この残容量の検出は、既述した通り、バッテリ容量検出部３４の検出情報から求められる。【０１１７】
また、セットされているＤＶＤ−Ｖｉｄｅｏ３８の再生時間を検出する（ステップＳ１３）。この場合、ＤＶＤ−Ｖｉｄｅｏ３８に格納されているコンテンツの測定単位であるチャプタ（Ｃｈａｐｔｅｒ）毎にビットレートを算出し、そのビットレートのデータを再生するために必要な消費電力をチャプタ毎に記憶する。各チャプタの消費電力を合計して全消費電力を求めることにより、ＤＶＤ−Ｖｉｄｅｏ３８の再生時間を検出する。この再生時間の検出処理は、ＤＶＤフロー（図６に示す再生時間検出プログラム）によって実行される。【０１１８】
ＤＶＤ−Ｖｉｄｅｏ３８の再生時間とバッテリ１６の残容量による動作可能時間とを比較し、バッテリ１６の残容量でＤＶＤ−Ｖｉｄｅｏ３８の最初から最後までの再生（全部再生）が可能であるか否かを判定する（ステップＳ１４）。全部再生が可能であれば、ステップＳ１５ないしステップＳ２１を経ることなく、ＤＶＤ−Ｖｉｄｅｏ３８の再生に移行する（ステップＳ２２）。【０１１９】
ＤＶＤ−Ｖｉｄｅｏ３８の全部再生ができなければ、負荷制御の第１段階として、ＤＶＤ−Ｖｉｄｅｏ３８の再生に不要なアプリケーションを終了する（ステップＳ１５）。この不要なアプリケーションを終了させると、バッテリフロー（図８に示すパワーチェックプログラム）によりパワーチェックが実行され、この場合、バッテリ１６のパワーチェックＡが実行される。【０１２０】
不要なアプリケーションを終了した結果、バッテリ１６の残容量でＤＶＤ−Ｖｉｄｅｏ３８を最初から最後まで再生可能か否かを判定し（ステップＳ１６）、ＤＶＤ−Ｖｉｄｅｏ３８を最初から最後まで再生可能であれば（ステップＳ１６のＹＥＳ）、ＤＶＤ−Ｖｉｄｅｏ３８の再生に移行する（ステップＳ２２）。また、ＤＶＤ−Ｖｉｄｅｏ３８を最後まで再生できなければ（ステップＳ１６のＮＯ）、負荷制御の第２段階として、再生前の設定を記憶した後、ＰＣ２のパワースキム（Ｐｏｗｅｒ  ｓｃｈｅｍｅ）を変更する（ステップＳ１７）。このパワースキムを変更させると、バッテリフロー（図８に示すパワーチェックプログラム）にパワーチェックが実行され、この場合、バッテリ１６のパワーチェックＢが実行される。【０１２１】
ＰＣ２のパワースキムを変更した結果、バッテリ１６の残容量でＤＶＤ−Ｖｉｄｅｏ３８を最後まで再生可能か否かを判定し（ステップＳ１８）、ＤＶＤ−Ｖｉｄｅｏ３８の最後まで再生可能であれば（ステップＳ１８のＹＥＳ）、ＤＶＤ−Ｖｉｄｅｏ３８の再生に移行する（ステップＳ２２）。また、ＤＶＤ−Ｖｉｄｅｏ３８を最後まで再生できなければ（ステップＳ１８のＮＯ）、バッテリ１６の残容量とＤＶＤ−Ｖｉｄｅｏ３８を最後まで再生するために必要な電力を計算し、負荷制御の第３段階として、再生可能なバックライト４２のバックライトレベル（輝度）を算出する（ステップＳ１９）。このバックライトレベルを算出した場合、バッテリフロー（図８に示すパワーチェックプログラム）によりパワーチェックが実行され、この場合、バッテリ１６のパワーチェックＣが実行される。【０１２２】
バックライト４２のバックライトレベルを低減させれば、バッテリ１６の残容量でＤＶＤ−Ｖｉｄｅｏ３８を最後まで再生可能か否かを判定し（ステップＳ２０）、ＤＶＤ−Ｖｉｄｅｏ３８を最後まで再生可能であれば（ステップＳ２０のＹＥＳ）、再生前のバックライトレベルを記憶した後、再生可能なバックライトレベルに変更し（ステップＳ２１）、ＤＶＤ−Ｖｉｄｅｏ３８を再生し（ステップＳ２２）、その際、警告メッセージを表示する（図１１）。そして、ＤＶＤ−Ｖｉｄｅｏ３８の再生の後、通常のアプリケーション処理をする（ステップＳ２３）。【０１２３】
また、ステップＳ２０において、ＤＶＤ−Ｖｉｄｅｏ３８を最後まで再生できなければ（ステップＳ２０のＮＯ）、図５に示すフローチャートに移行し、挿入されているＤＶＤ−Ｖｉｄｅｏ３８のビットレートを検出し、ビットレートの変動値を考慮に入れ、倍速再生するために必要な消費電力をＤＶＤ−Ｖｉｄｅｏ３８のチャプタ毎に求め、ＤＶＤ−Ｖｉｄｅｏ３８の最後まで再生できるか否か、再生できるチャプタ、ＤＶＤ−Ｖｉｄｅｏ３８を最後まで再生するための再生速度等を決定する（ステップＳ２４）。【０１２４】
この決定により、チャプタＭを超える再生ができない場合には、チャプタＭまで再生可能であることを告知するとともに、再生モードの選択ダイアログを表示する（ステップＳ２５）。【０１２５】
選択ダイアログ表示（図１２）において、高速再生モードＡを選択したか否かを判定し（ステップＳ２６）、高速再生モードＡを選択した場合には（ステップＳ２６のＹＥＳ）、ＤＶＤ−Ｖｉｄｅｏ３８の再生における消費電力とバッテリ１６の残容量とを比較し、ＤＶＤ−Ｖｉｄｅｏ３８の最後まで再生できる再生速度に自動的に変更し（ステップＳ２７）、ステップＳ２２（ＤＶＤ−Ｖｉｄｅｏ３８の再生）に移行する。【０１２６】
高速再生モードＡを選択しなかった場合には（ステップＳ２６のＮＯ）、部分高速再生モードＢを選択したか否かを判定し（ステップＳ２８）、部分高速再生モードＢを選択した場合には（ステップＳ２８のＹＥＳ）、チャプタブロック（Ｃｈａｐｔｅｒ  Ｂｌｏｃｋ）のレベルが所定レベルＺＺ以下のものを倍速で再生させる設定に自動的に変更し（ステップＳ２９）、ステップＳ２２（ＤＶＤ−Ｖｉｄｅｏ３８の再生）に移行する。【０１２７】
部分高速再生モードＢを選択しなかった場合には（ステップＳ２８のＮＯ）、通常再生モードＣを選択したか否かを判定し（ステップＳ３０）、通常再生モードＣを選択した場合には（ステップＳ３０のＹＥＳ）、通常再生を開始し、バッテリ１６の残容量がなければ、通常処理として、ＰＣ２の再生動作を停止し、シャットダウンし（ステップＳ３１）、処理を終了する（ステップＳ３２）。通常再生モードの場合、警告メッセージ（図１３）を表示する。【０１２８】
通常再生モードＣを選択しなかった場合（ステップＳ３０のＮＯ）、即ち、再生の終了を選択すれば、全ての設定を元に戻し、警告メッセージ８５（図１４）を表示してアプリケーションを終了する（ステップＳ３３）。【０１２９】
次に、ＤＶＤのデータ処理（ＤＶＤフロー）について、図６及び図７を参照して説明する。図６は、ＤＶＤ処理の処理手順を示すフローチャート、図７は、ビットレートの時間的変化を示す図である。【０１３０】
このＤＶＤフローにはＤＶＤ−Ｖｉｄｅｏ３８のビットレートの検出、その積分及びその積分値の保管処理が含まれる。【０１３１】
そこで、ＤＶＤドライブ３６にＤＶＤ−Ｖｉｄｅｏ３８を入れる（ステップＳ４１）と、ＤＶＤドライブ３６からＯＳに対し、その搭載を表すイベントが入る（ステップＳ４２）。その際、搭載されたものがＤＶＤ−Ｖｉｄｅｏであるか否かを判定し（ステップＳ４３）、ＤＶＤ−Ｖｉｄｅｏでなければ、この処理を終了する。【０１３２】
ＤＶＤ−Ｖｉｄｅｏであれば（ステップＳ４３のＹＥＳ）、アプリケーションの処理により、タイトル／チャプタのビットレートを検出し（ステップＳ４４）、横軸に時間、縦軸にビットレートを取り（図７）、チャプタ毎にビットレートを積分し、その積分データをＨＤ６２のデータ格納領域６８に保管する（ステップＳ４５）。ここで、タイトル／チャプタについて、「タイトル」はＤＶＤ−Ｖｉｄｅｏ３８にある複数の「チャプタ」の集合体であって、「チャプタ」は、「タイトル」の構成単位であるとともに、ＤＶＤ−Ｖｉｄｅｏ３８に格納された記録データの格納単位である。【０１３３】
ビットレートの時間的変化（ビットレートパターン）は、図７に示すように、横軸に時間、縦軸にビットレートを取ることにより表すことができ、これを時間について積分したものが積分データである。図７は、一般的なＤＶＤ−Ｖｉｄｅｏの可変ビットレートのビットレートパターンであって、ビットレートは時間によって大きく変動する。そして、高ビットレートでは、その処理のため消費電力が増大し、低ビットレートでは消費電力が抑えられることになる。【０１３４】
そこで、ＤＶＤ再生前、このビットレートパターンを読み込み、ビットレートパターンから再生に要する消費電力を予測する。予測した消費電力を用いることにより、ＤＶＤ−Ｖｉｄｅｏ３８の再生速度を決定し、ＤＶＤ−Ｖｉｄｅｏ３８を全部再生（最初から最後まで再生）できる再生速度を決定すればよい。【０１３５】
次に、バッテリの処理（バッテリフロー）について、図８を参照して説明する。図８は、バッテリ処理の処理手順を示すフローチャートである。【０１３６】
このバッテリフローには、アプリケーションが起動しているＰＣ２の機種情報、ＤＶＤドライブ３６等の消費電力値、ビットレートの違いによる消費電力情報、倍速再生の有無等の参照により、チャプタ毎の消費電力を算出する処理が含まれている。【０１３７】
そこで、アプリケーションが起動しているＰＣ２の機種情報を得る（ステップＳ５１）。アプリケーションの保存データである、ＤＶＤ再生におけるＤＶＤドライブ３６等の個別の消費電力値と、ビットレートの違いによる消費電力をＨＤ６２のデータ格納領域６８から呼び出す（ステップＳ５２）。【０１３８】
この処理の後、倍速再生が有るか否かを判定し（ステップＳ５３）、倍速再生がなければ（ステップＳ５３のＮＯ）、ＯＳのパワーメータ／パワーステータスにより、電力測定及び電力消費状態より現在のバッテリ１６の残容量を確認する（ステップＳ５４）。倍速再生があれば（ステップＳ５３のＹＥＳ）、倍速フロー（図９）を実行し（ステップＳ５５）、ステップＳ５４に移行する。【０１３９】
ＤＶＤフロー（図６のステップＳ４５）で検出した積分データを呼び出し（ステップＳ５６）、チャプタ毎の消費電力を算出し（ステップＳ５７）、算出したチャプタ毎の消費電力を加算し（ステップＳ５８）、バッテリ１６の残容量からチャプタ毎の消費電力を加算し（ステップＳ５９）、この処理を終了する。【０１４０】
次に、倍速処理（倍速フロー）について、図９及び図１０を参照して説明する。図９は、倍速処理の処理手順を示すフローチャート、図１０は、データテーブル６８２を示す図である。図１０において、図２と同一部分には同一符号を付してある。【０１４１】
この処理では、Ｎｙ倍速再生における消費電力を格納したデータテーブル６８２を呼び出し（ステップＳ６１）、ＤＶＤフロー（図６）で検出したビットレートに相当する倍速消費パーセントを全ての積分データに掛け（ステップＳ６２）、チャプタブロックを変更し、ＤＶＤフローのデータを変更し（ステップＳ６３）、この処理を終了する。【０１４２】
次に、表示部８の画面表示について、図１１、図１２、図１３及び図１４を参照して説明する。図１１は、ＰＣ２の警告メッセージ表示（バックライトのレベル変更）の一例を示す図、図１２は、ＰＣ２のダイアログ表示画面の一例を示す図、図１３は、ＰＣ２の警告メッセージ表示（再生ストップ）の一例を示す図、図１４は、ＰＣ２の警告メッセージ表示（再生終了）の一例を示す図である。図１１ないし図１４において、図１と同一部分には同一符号を付してある。【０１４３】
（警告メッセージ表示）【０１４４】
バックライトのレベルを変更して再生する場合（図４のステップＳ２１、ステップＳ２２）には、図１１に示すように、表示部８の表示画面７２に警告メッセージ７４を表示する。この警告メッセージ７４は、バックライトのレベルを変更して再生することを表し、例えば、
『バックライトのレベルを変更して再生します。』
とする。【０１４５】
（選択ダイアログ表示）【０１４６】
また、現在のバッテリ１６の残容量では、ＤＶＤ−Ｖｉｄｅｏ３８のチャプタＭまでの再生が可能である場合、図１２に示すように、表示画面７６に選択ダイアログ表示７８が表示される。この選択ダイアログ表示７８では、ＤＶＤ−Ｖｉｄｅｏ３８のチャプタＭまでの再生が可能であり、その後は再生が停止することを表す警告メッセージとともに、選択可能な再生モードと、再生の終了が表示される。そこで、選択ダイアログ表示７８には、例えば、【０１４７】
『現在のバッテリの残量ではＤＶＤ−ＶｉｄｅｏのチャプタＭで再生がストップします。以下を選択願います。
Ａ．Ｎｙ倍速で再生して、最後まで再生します。
Ｂ．部分高速再生モード（ハイライト場面のみノーマル再生します。）
Ｃ．そのまま再生します。チャプタ  Ｍの再生終了で自動的にストップします。（ノーマル再生）
Ｄ．再生を終了します。』
が表示される。【０１４８】
この選択ダイアログ表示７８において、「Ａ」は、既述の高速再生モード（３．１）に対応しており、この「Ａ」を選択すれば、Ｎｙ倍速で再生して、ＤＶＤ−Ｖｉｄｅｏ３８の最後まで再生することができる。【０１４９】
「Ｂ」は、既述の部分高速再生モード（３．２）に対応しており、この「Ｂ」を選択すれば、一部分を高速再生モード例えば、Ｍ倍速で再生し、他の部分をノーマル再生とし、ＤＶＤ−Ｖｉｄｅｏ３８の最後まで再生する。例えば、ハイライト場面のみをノーマル再生とし、他の部分をＭ倍速で再生する。【０１５０】
「Ｃ」は、既述のノーマル再生モード（３．３）に対応しており、この「Ｃ」を選択すれば、ノーマルモードで再生する。この場合には、ＤＶＤ−Ｖｉｄｅｏ３８の最後までの再生はできず、途中で再生が停止するので、それを表すため、『チャプタ  Ｍの再生終了で自動的にストップします。』と警告メッセージを含んでいる。【０１５１】
「Ｄ」は、再生終了であり、この「Ｄ」を選択すれば、再生に移行することなく終了する。即ち、この「Ｄ」を選択すれば、ダイアログ表示からＤＶＤ−Ｖｉｄｅｏ３８の再生終了に移行することができる。【０１５２】
（警告メッセージ表示）【０１５３】
また、ノーマル再生モード（３．３）を選択した場合には、図１３に示すように、表示部８の表示画面８０に警告メッセージ８２が表示される。この処理では、ノーマル再生モードを選択したため、ＤＶＤ−Ｖｉｄｅｏ３８のチャプタＭで再生が中断することが警告される。この警告メッセージ８２は例えば、【０１５４】
『現在のバッテリ残量ではＤＶＤ−ＶｉｄｅｏのチャプタＭで再生がストップします。』【０１５５】
と表示される。このような警告メッセージ８２の表示により、ユーザは再生の中断や中断するチャプタＭのチャプタ番号を知ることができる。【０１５６】
また、再生を終了する場合の警告メッセージ表示（ステップＳ３３）では、図１４に示すように、表示部８の表示画面８３に警告メッセージ８５を表示し、この警告メッセージ８５は例えば、
『再生を終了し、全ての設定を元に戻し、アプリケーションを終了します。』と表示する。【０１５７】
次に、パワーチェックＡ、Ｂ、Ｃ（図５、図１５）について説明する。このパワーチェックＡ、Ｂ、Ｃは、ＰＣ２の消費電力のバッテリ容量の換算処理であって、段階的な電力容量換算として既述のパワーチェックＡ、パワーチェックＢ、パワーチェックＣが設定されている。【０１５８】
１）パワーチェックＡ【０１５９】
ＤＶＤ再生に対する不要アプリケーションを終了させ、ＰＣ２の消費電力を低減させる場合である。ＰＣ２の消費電力を低減すれば、その分だけバッテリ１６の消耗が抑えられるので、これをバッテリ容量に換算すれば、バッテリ容量が消耗抑制の分だけの増加と見なすことができる。その増加比率をＫａとすれば、これがパワーチェック補正係数Ｋａとなる。そこで、ＰＣ２の現在のバッテリ容量Ｐ〔ｍＷｈ〕にパワーチェック補正係数Ｋａを掛け算すれば、パワーチェックＡによる換算された現在のバッテリ容量（Ｐ×Ｋａ）〔ｍＷｈ〕が求められる。【０１６０】
２）パワーチェックＢ【０１６１】
不要アプリケーションの終了と、ＣＰＵ４８の電力スキーム（Ｐｏｗｅｒ  Ｓｃｈｅｍｅ）の変更とにより、ＰＣ２の消費電力を低減させる場合である。既述の通り、これをバッテリ容量に換算すれば、バッテリ容量が消耗抑制の分だけの増加と見なすことができ、その増加比率をＫｂとすれば、これがパワーチェック補正係数Ｋｂとなる。そこで、現在のバッテリ容量Ｐ〔ｍＷｈ〕にパワーチェック補正係数Ｋｂを掛け算すれば、パワーチェックＢによる換算された現在のバッテリ容量（Ｐ×Ｋｂ）〔ｍＷｈ〕が求められる。【０１６２】
３）パワーチェックＣ【０１６３】
不要アプリケーションの終了と、ＣＰＵ４８の電力スキームの変更と、バックライト４２の輝度の低下とにより、ＰＣ２の消費電力を低減させる場合である。同様に、この場合の増加比率をＫｃとすれば、これがパワーチェック補正係数Ｋｃとなる。そこで、ＰＣ２の現在のバッテリ容量Ｐ〔ｍＷｈ〕にパワーチェック補正係数Ｋｃを掛け算すれば、パワーチェックＢによる換算された現在のバッテリ容量（Ｐ×Ｋｃ）〔ｍＷｈ〕が求められる。【０１６４】
これら、パワーチェック補正係数Ｋａ、Ｋｂ、Ｋｃは、段階的に消費電力を減少させて求められているので、その減少分だけ実質的にバッテリ１６の容量増加となり、そのため、パワーチェック補正係数Ｋａ、Ｋｂ、Ｋｃは「１」より大であり、これらの大小関係は、１＜Ｋａ＜Ｋｂ＜Ｋｃである。【０１６５】
そして、このようなパワーチェックＡ、Ｂ、Ｃの段階的な処理により、ＰＣ２に内蔵されるバッテリ１６の元電力量〔ｍＷｈ〕とパワーチェックＡ、Ｂ、Ｃとその時点のバッテリ残容量〔％〕をＯＳの電力スキームによりＤＶＤ−Ｖｉｄｅｏ３８再生開始時点の正確なバッテリ残容量を推測することができる。【０１６６】
次に、ＤＶＤ−Ｖｉｄｅｏ３８の各チャプタの消費電力、各パワーチェックＡ、Ｂ、Ｃにおける再生可能な残り時間について、図１５及び図１６を参照して説明する。図１５は、ＤＶＤの各チャプタの消費電力の演算処理を示す図、図１６は、パワーチェックＡ、Ｂ又はＣにおけるバッテリの残り時間の演算処理を示す図である。【０１６７】
図１５に示すように、ＤＶＤ−Ｖｉｄｅｏ３８のタイトルＴ１には、複数のチャプタ０１、０２・・・ラストチャプタＮが存在しており、これらチャプタ０１、０２・・・Ｎのそれぞれを所定時間毎の消費電力を演算する。所定時間として例えば、５分毎にチャプタを区切り、それらをチャプタブロックとすれば、チャプタ０１にはチャプタブロック０１−Ａ、０１−Ｂ、０１−Ｃ・・・、チャプタ０２にはチャプタブロック０２−Ａ、０２−Ｂ、０２−Ｃ・・・、ラストチャプタＮにはチャプタブロックＮ−Ａ、Ｎ−Ｂ、Ｎ−Ｃ・・・とし、これら各チャプタブロック毎の消費電力を演算する。【０１６８】
この消費電力の演算には、５分間内のビットレートが用いられ、チャプタブロック０１−Ａ、０１−Ｂ、０１−Ｃ・・・、０２−Ａ・・・、Ｎ・・・の各消費電力を１Ａ、１Ｂ、１Ｃ・・・、２Ａ・・・、Ｎｎ〔ｍＷ〕とすれば、次の演算により求められる。【０１６９】
即ち、チャプタ０１の０分から５分までの消費電力は、
ビットレート×時間（５分−０分）＝１Ａ〔ｍＷ〕      ・・・(1) 
となり、チャプタ０１の５分から１０分までの消費電力は、
ビットレート×時間（１０分−５分）＝１Ｂ〔ｍＷ〕    ・・・(2) 
となり、また、チャプタ０１の１０分から１５分までの消費電力は、
ビットレート×時間（１５分−１０分）＝１Ｃ〔ｍＷ〕  ・・・(3) 
となる。また、チャプタ０２の０分から５分までの消費電力は、
ビットレート×時間（５分−０分）＝２Ａ〔ｍＷ〕      ・・・(4) 
となる。また、ラストチャプタのＸＸ分からＹＹ分までの消費電力は、
ビットレート×時間（ＹＹ分−ＸＸ分）＝Ｎｎ〔ｍＷ〕  ・・・(5) 
となる。これらの式から明らかなように、各消費電力は、ビットレートと時間の積から求められるので、ビットレート及び時間に比例している。【０１７０】
各チャプタブロックの終了時の残り時間は、図１６に示すように、バッテリ容量〔ｍＷｈ〕、バッテリの残容量〔％〕、消費電力１Ａ、１Ｂ、１Ｃ・・・、２Ａ・・・、Ｎｎ〔ｍＷ〕、既述のパワーチェックＡ、Ｂ、Ｃで求められたパワーチェック補正係数Ｋａ、Ｋｂ又はＫｃを用いて求められる（ステップＳ７１、Ｓ７２）。【０１７１】
即ち、チャプタ０１−Ａの終了時の残り時間は、
バッテリ容量〔ｍＷｈ〕×パワーチェック補正係数（Ｋａ、Ｋｂ又はＫｃ）  ×バッテリ残容量〔％〕／１Ａ〔ｍＷ〕＝０１Ａ〔ｈｏｕｒｓ〕
・・・(6) 
から求められ、チャプタ０１−Ｂの終了時の残り時間は、
バッテリ容量〔ｍＷｈ〕×パワーチェック補正係数（Ｋａ、Ｋｂ又はＫｃ）  ×バッテリ残容量〔％〕／（１Ａ＋１Ｂ）〔ｍＷ〕＝０１Ｂ〔ｈｏｕｒｓ〕
・・・(7) 
から求められ、チャプタ０１−Ｃの終了時の残り時間は、
バッテリ容量〔ｍＷｈ〕×パワーチェック補正係数（Ｋａ、Ｋｂ又はＫｃ）  ×バッテリ残容量〔％〕／（１Ａ＋１Ｂ＋１Ｃ）〔ｍＷ〕
＝０１Ｃ〔ｈｏｕｒｓ〕                                    ・・・(8) 
から求められる。また、チャプタ０２−Ａの終了時の残り時間は、
バッテリ容量〔ｍＷｈ〕×パワーチェック補正係数（Ｋａ、Ｋｂ又はＫｃ）  ×バッテリ残容量〔％〕／（１Ａ＋１Ｂ＋１Ｃ＋・・・＋２Ａ）〔ｍＷ〕
＝０２Ａ〔ｈｏｕｒｓ〕                                    ・・・(9) 
から求められる。また、ラストチャプタＮの終了時の残り時間は、
バッテリ容量〔ｍＷｈ〕×パワーチェック補正係数（Ｋａ、Ｋｂ又はＫｃ）×バッテリ残容量〔％〕／（１Ａ＋１Ｂ＋１Ｃ＋・・・＋２Ａ＋・・・＋Ｎｎ）〔ｍＷ〕＝Ｎｎ〔ｈｏｕｒｓ〕                                ・・・(10)
から求められる。【０１７２】
これら式(6) 、(7) 、(8) 、(9) 及び(10)の分子にあるパワーチェック補正係数について、パワーチェック補正係数をＫａとすれば、パワーチェックＡの場合の残り時間、パワーチェック補正係数をＫｂとすれば、パワーチェックＢの場合の残り時間、また、パワーチェック補正係数をＫｃとすれば、パワーチェックＣの場合の残り時間が求められる。【０１７３】
そして、パワーチェック補正係数は、式(6) 、(7) 、(8) 、(9) 及び(10)の分子にあることから、残り時間は、パワーチェック補正係数に比例する関係にある。パワーチェック補正係数は、既述の通り、Ｎａ＜Ｎｂ＜Ｎｃであるから、パワーチェックＡの場合の残り時間が最も小さく、パワーチェックＣの場合の残り時間が最も大きくなり、パワーチェックＢの場合の残り時間はパワーチェックＡとパワーチェックＣとの中間値となる。【０１７４】
次に、再生モードに対する消費電力の算出について説明する。【０１７５】
ＤＶＤ−Ｖｉｄｅｏ３８のタイトル及びチャプタのビットレートの積分値に再生モード（ノーマル再生又は高速再生）を表す係数を掛け、ＤＶＤ−Ｖｉｄｅｏ３８の全部を再生するに必要な消費電力を求める。高速再生ならば消費電力が落ちる。【０１７６】
この場合、チャプタの単位ビットレートを算出し、全体の消費電力とビットレートとの相関関係より消費電力を算出し、ＰＣ２の状態とバッテリ１６の残容量とビットレートとの関係よりバッテリ１６の残り時間が計算される。ビットレートと時間の関係より正確な計算が可能となる。【０１７７】
高速再生や部分高速再生では、バッテリ１６の残容量（電力）と、各チャプタの消費電力を加算した消費電力の加算値とを比較し、ＤＶＤ−Ｖｉｄｅｏ３８を最後まで再生できる再生速度及び消費電力で再生する。また、ノーマル再生では、再生速度を変えないで再生するので、バッテリ１６の残容量がなくなれば、ＤＶＤ−Ｖｉｄｅｏ３８の再生が中断することになるが、ユーザが希望した再生モードであるから問題はない。【０１７８】
以上説明した第１の実施の形態について、特徴事項や利点を列挙すれば、次の通りである。【０１７９】
ＤＶＤ−Ｖｉｄｅｏ３８の再生前にＣＰＵ動作変更や再生モードをバッテリ１６の残容量に応じて自動的に変更し、再生に移行する。【０１８０】
再生モード（即ち、再生方法）は、選択ダイアログ表示７８に警告表示とともに入れ、再生モードをユーザに選択させ、自動的にその再生モードへ移行させ、バッテリ１６の残容量に応じた再生速度等で再生できる方法を提示している。【０１８１】
記録データに基づく再生時間の計算では、単純にファイルの再生時間を用いた場合には例えば、可変ビットレートであるＤＶＤ−Ｖｉｄｅｏでは再生時間をそのＣｈａｐｔｅｒの時間だけで計算すると残り再生時間に誤差を生じるのに対し、これを回避するため、ビットレートの変動を考慮して、パソコンの消費電力をそのチャプタ毎に計算し、消費電力や再生時間の演算精度を高めている。【０１８２】
また、チャプタ毎に求めた消費電力の加算により再生速度の変更、又は、通常速度での再生をするため、自動的にスタート／チャプタの変更を行うことができる。このため、ユーザが再生区間の指定を行う必要がない。【０１８３】
また、警告ダイアログもチャプタでの表示が可能であって、パーセント／開始何分という表示に比較し、ユーザに判り易くする情報を提示することができる。【０１８４】
バッテリフロー（図８）について、ＯＳが表示する残り時間は図１７の（Ａ）及び（Ｂ）に示すように、その時点におけるＰＣ２の消費電力とＯＳの持つＰｏｗｅｒ  Ｍｅｔｅｒ／Ｐｏｗｅｒ  Ｓｔａｔｕｓにより計算される。これは、ＯＳが持つバッテリ１６の残容量からみた動作時間を示している。このため、ＤＶＤ−Ｖｉｄｅｏ等のように急激に消費電力が変わる場合には、その時点の残り時間に誤差を生じ、正確な残り時間を提示することができない。ＤＶＤ−Ｖｉｄｅｏ再生前の残り時間の表示では、ＤＶＤ−Ｖｉｄｅｏの録画時間内であったとしても、再生を開始すると、表示された残り時間が変化する。また図１８の（Ａ）及び（Ｂ）は、そのときの残り時間を示すが、ＯＳがＤＶＤ−Ｖｉｄｅｏ再生等により急激な消費電流を検知すると、バッテリ１６の残容量が同一であっても、図１８の（Ａ）及び（Ｂ）に示すように、パーセンテージ（％）が同一（９５％）でも、残り時間の表示が大きく異なるという不都合がある。表示された残り時間は、図１７及び図１８に示すように、急激に変動することはなく、再生時間に比例して減少する。バッテリフロー（図８）はこのようなバッテリ１６の残容量の表示の修正にも寄与する。【０１８５】
ところで、本発明の適用されていないＰＣを想定し、表示部のバックライトを中レベル輝度とし、ＣＰＵにインテル社製のＣＰＵ｛「Ｃｅｌｅｒｏｎ  Ｍ３５０」（登録商標）−１．３ＧＨｚ｝を使用し、バッテリ４２に１０．８Ｖ／４４００ｍＡｈ、その残容量１００〔％〕を用いて、ＤＶＤ−Ｖｉｄｅｏを再生する場合を想定すると、ＤＶＤ−Ｖｉｄｅｏが「４ＭｂｐｓＤＶＤ−Ｖｉｄｅｏ」であれば、約２時間１０分の再生が可能であり、また、「８ＭｂｐｓＤＶＤ−Ｖｉｄｅｏ」であれば、約２時間の再生が可能である。ところで、ＯＳが持つバッテリの残容量の表示ではその瞬間算出であるため、ＤＶＤ−Ｖｉｄｅｏ再生開始直後の表示ではどちらのＤＶＤ−Ｖｉｄｅｏを再生しても残り１時間６分と表示されるであろう。ＤＶＤ−Ｖｉｄｅｏ再生開始時点では１時間６分となっているが、実際には、「４ＭｂｐｓＤＶＤ−Ｖｉｄｅｏ」では、再生可能であっても、表示は「再生不可」となり、間違った情報がユーザに提供されることになり、バッテリ駆動による再生が中止されることになる。また、再生されてその瞬間の消費電力が変更されても、その後の消費電力が不明である。よって数分後にどちらも２時間１０分となり一定の再生後でも正確な時間は算出できない。これより、再生開始よりビットレートを認識しなければ、再生する前に正確な再生時間を表示することはできない。このような不都合は、既述した本発明を適用することにより解消されるのである。【０１８６】
〔第２の実施の形態〕【０１８７】
次に、本発明の第２の実施の形態について、図１９及び図２０を参照して説明する。図１９は、第２の実施の形態に係る再生制御方法の処理手順の一例を示すフローチャート、図２０は、第２の実施の形態に係る再生制御方法及び再生制御プログラムの処理手順の一例を示すフローチャートである。【０１８８】
この実施の形態に係る映像再生制御方法は、図１９に示すように、駆動電源の判定（ステップＳ２０１）、消費電力低減及び全部再生の可否（ステップＳ２０２）、再生モードの決定及びその選択（ステップＳ２０３）、再生処理（ステップＳ２０４）の処理手順によって実行し、第１の実施の形態（図３）における、バッテリ容量での記録媒体の全部再生の可否判定（ステップＳ２）を省略したものである。バッテリ容量での記録媒体の全部再生の可否判定（ステップＳ２）を省略しても、消費電力低減及び全部再生の可否（ステップＳ２０２）によって、段階的な負荷制御の途上で記録媒体の全部再生が可能であるか否かの処理が行われるので、このような構成によっても、第１の実施の形態と同様の効果が得られる。【０１８９】
そこで、再生制御方法及び再生制御プログラムの処理手順については、図２０に示すように、ＡＣアダプタ１８の有無の判定（ステップＳ２１１）、バッテリの残容量の検出（ステップＳ２１２）、ＤＶＤ−Ｖｉｄｅｏ３８の再生時間の検出（ステップＳ２１３）の後、ＤＶＤ−Ｖｉｄｅｏ３８の全部再生が可能であるか否かの判定を経ることなく、ＤＶＤ−Ｖｉｄｅｏ３８の再生に不要なアプリケーションの終了（ステップＳ２１４）を行う。ステップＳ２１５は図４のステップＳ１６、ステップＳ２１６は図４のステップＳ１７、ステップＳ２１７は図４のステップＳ１８、ステップＳ２１８は図４のステップＳ１９、ステップＳ２１９は図４のステップＳ２０、ステップＳ２２０は図４のステップＳ２１、ステップＳ２２１は図４のステップＳ２２、ステップＳ２２２は図４のステップＳ２３と同様であるので、その説明を省略する。図２０に示すフローチャートにおいて、符号Ａ、符号Ｂは、第１の実施の形態のフローチャート（図５）との連結部分を示している。【０１９０】
〔第３の実施の形態〕【０１９１】
次に、本発明の第３の実施の形態について、図２１及び図２２を参照して説明する。図２１は、第３の実施の形態に係る再生制御方法の処理手順の一例を示すフローチャート、図２２は、第３の実施の形態に係る再生制御方法及び再生制御プログラムの処理手順の一例を示すフローチャートである。【０１９２】
この実施の形態に係る映像再生制御方法は、図２１に示すように、駆動電源の判定（ステップＳ３０１）、記録媒体の全部再生の可否判定（ステップＳ３０２）、再生モードの決定及びその選択（ステップＳ３０３）、再生処理（ステップＳ３０４）の処理手順によって実行し、第１の実施の形態（図３）における、消費電力低減及び全部再生の可否の判定（ステップＳ３）を省略したものである。【０１９３】
この実施の形態では、バッテリ１６に対する負荷制御を経ることなく、バッテリ１６の残容量に応じて再生制御として例えば、再生速度の制御を実行するものである。このような構成によっても、バッテリ１６の残容量が大きく、ＤＶＤ−Ｖｉｄｅｏ３８のデータ量が小さい場合等では、第１の実施の形態と同様にＤＶＤ−Ｖｉｄｅｏ３８の全部再生を自動的に行うことができる。【０１９４】
そこで、再生制御方法及び再生制御プログラムの処理手順については、図２２に示すように、ＡＣアダプタ１８の有無の判定（ステップＳ３１１）、バッテリの残容量の検出（ステップＳ３１２）、ＤＶＤ−Ｖｉｄｅｏ３８の再生時間の検出（ステップＳ３１３）の後、第１の実施の形態におけるステップＳ１５ないしステップＳ２１を経ることなく、ＤＶＤ−Ｖｉｄｅｏ３８の全部再生が可能であるか否かの判定を行い（ステップＳ３１４）、全部再生が不可能であれば、図５のフローチャートの処理を実行した後、ＤＶＤ−Ｖｉｄｅｏ３８の再生（ステップＳ３１５）に移行し、通常のアプリケーション処理を実行する（ステップＳ３１６）。【０１９５】
このような処理によっても、既述した通り、バッテリ１６の残容量に応じてＤＶＤ−Ｖｉｄｅｏ３８の再生制御を行うことにより、ＤＶＤ−Ｖｉｄｅｏ３８の全部再生を行うことができる。【０１９６】
〔第４の実施の形態〕【０１９７】
次に、本発明の第４の実施の形態について、図２３及び図２４を参照して説明する。図２３は、第４の実施の形態に係る再生制御方法及び再生制御プログラムの処理手順の一例を示すフローチャート、図２４は、選択ダイアログ画面を表示したＰＣ２を示す図である。図２４において、図１と同一部分には同一符号を付してある。【０１９８】
この第４の実施の形態では、バッテリ１６の残容量の検出とともに、ＰＣ２のパワースキームを検出した後、第３の実施の形態と同様に、ＤＶＤ−Ｖｉｄｅｏ３８の再生時間を検出し、その直後にＤＶＤ−Ｖｉｄｅｏ再生に不要なアプリケーションを終了する構成であり、また、再生制御では、部分高速再生モードを設定しない構成としたものである。【０１９９】
そこで、図２３に示すように、ＤＶＤ−Ｖｉｄｅｏ３８を再生する場合には、再生アプリケーションを起動させ、ＰＣ２にＡＣアダプタ１８が有るか否かを判定する（ステップＳ４０１）。ＡＣアダプタ１８が接続されていれば（ステップＳ４０１のＹＥＳ）、ステップＳ４０２ないしステップＳ４１０を経ることなく、ＤＶＤ−Ｖｉｄｅｏ３８の再生に移行する（ステップＳ４１１）。【０２００】
ＡＣアダプタ１８の接続がなければ（ステップＳ４０１のＮＯ）、バッテリ１６の残容量を検出し、ＰＣ２のパワースキームを検出する（ステップＳ４０２）。また、ＤＶＤ−Ｖｉｄｅｏ３８のチャプタ毎にビットレートを算出し、そのビットレートのデータを再生するため必要な消費電力をチャプタ毎に記憶し、各チャプタの消費電力を合計して全消費電力を求めることにより、ＤＶＤ−Ｖｉｄｅｏ３８の再生時間を検出する（ステップＳ４０３）。この再生時間の検出処理は、ＤＶＤフロー（図６に示す再生時間検出プログラム）によって実行されることは既述の通りである。【０２０１】
負荷制御の第１段階として、ＤＶＤ−Ｖｉｄｅｏ３８の再生に不要なアプリケーションを終了する（ステップＳ４０４）。この不要なアプリケーションを終了した結果、バッテリ１６の残容量でＤＶＤ−Ｖｉｄｅｏ３８の最後まで再生が可能か否かを判定し（ステップＳ４０５）、ＤＶＤ−Ｖｉｄｅｏ３８の最後まで再生可能であれば（ステップＳ４０５のＹＥＳ）、ＤＶＤ−Ｖｉｄｅｏ３８の再生に移行する（ステップＳ４１１）。また、ＤＶＤ−Ｖｉｄｅｏ３８を最後まで再生できなければ（ステップＳ４０５のＮＯ）、再生前の設定を記憶した後、負荷制御の第２段階として、ＰＣ２のパワースキーム（Ｐｏｗｅｒ  ｓｃｈｅｍｅ）を変更する（ステップＳ４０６）。【０２０２】
ＰＣ２のパワースキームを変更した結果、バッテリ１６の残容量でＤＶＤ−Ｖｉｄｅｏ３８の最後まで再生可能か否かを判定し（ステップＳ４０７）、ＤＶＤ−Ｖｉｄｅｏ３８の最後まで再生可能であれば（ステップＳ４０７のＹＥＳ）、ＤＶＤ−Ｖｉｄｅｏ３８の再生に移行する（ステップＳ４１１）。また、ＤＶＤ−Ｖｉｄｅｏ３８を最後まで再生できなければ（ステップＳ４０７のＮＯ）、バッテリ１６の残容量とＤＶＤ−Ｖｉｄｅｏ３８を最後まで再生するために必要な電力を計算し、可能なバックライト４２のバックライトレベル（輝度）を算出する（ステップＳ４０８）。【０２０３】
バックライト４２のバックライトレベルを低減させれば、バッテリ１６の残容量でＤＶＤ−Ｖｉｄｅｏ３８の最後まで再生可能か否かを判定し（ステップＳ４０９）、ＤＶＤ−Ｖｉｄｅｏ３８の最後まで再生可能であれば（ステップＳ４０９のＹＥＳ）、再生前のバックライトレベルを記憶した後、負荷制御の第３段階として、再生可能なバックライトレベルに変更し（ステップＳ４１０）、ＤＶＤ−Ｖｉｄｅｏ３８を再生し（ステップＳ４１１）、ＤＶＤ−Ｖｉｄｅｏ３８の再生の後、通常のアプリケーション処理をする（ステップＳ４１２）。【０２０４】
また、ステップＳ４０９において、ＤＶＤ−Ｖｉｄｅｏ３８を最後まで再生できなければ（ステップＳ４０９のＮＯ）、ＤＶＤ−Ｖｉｄｅｏ３８のビットレートを検出し、ビットレートの変動値を考慮に入れ、倍速再生するために必要な消費電力をＤＶＤ−Ｖｉｄｅｏ３８のチャプタ毎に求め、ＤＶＤ−Ｖｉｄｅｏ３８の最後まで再生できるか否か、再生できるチャプタ、ＤＶＤ−Ｖｉｄｅｏ３８を最後まで再生するための再生速度を決定する（ステップＳ４１３）。【０２０５】
この決定により、チャプタＭを超える再生ができない場合には、チャプタＭまで再生可能であることを告知するとともに、再生モードの選択ダイアログ（図２４）を表示する（ステップＳ４１４）。【０２０６】
選択ダイアログ表示（図２４）において、高速再生モードＡを選択したか否かを判定し（ステップＳ４１５）、高速再生モードＡを選択した場合には（ステップＳ４１５のＹＥＳ）、ＤＶＤ−Ｖｉｄｅｏ３８の再生における消費電力とバッテリ１６の残容量とを比較し、ＤＶＤ−Ｖｉｄｅｏ３８の最後まで再生できる再生速度に変更し（ステップＳ４１６）、ステップＳ４１１（ＤＶＤ−Ｖｉｄｅｏ３８の再生）に移行する。この場合、ステップＳ４１０に移行させてもよい。【０２０７】
高速再生モードＡを選択しなかった場合には（ステップＳ４１５のＮＯ）、通常再生モードＢの選択か、再生終了かを判定し（ステップＳ４１７）、通常再生モードＣを選択した場合には、通常再生を開始し、バッテリ１６の残容量がなければ、通常処理として、ＰＣ２の再生動作を停止し、シャットダウンし（ステップＳ４１８）、処理を終了する（ステップＳ４１９）。この場合、警告メッセージ（図１３）を表示してもよい。【０２０８】
通常再生モードＢを選択しなかった場合、即ち、再生終了を選択した場合には、全ての設定を元に戻し、警告メッセージ（図１４）を表示し、通常再生を行い、アプリケーションを終了する（ステップＳ４２０）。【０２０９】
この場合、選択ダイアログ表示（ステップＳ４１４）では、図２４に示すように、表示部８の表示画面８４に選択ダイアログ８６を表示し、この選択ダイアログ表示８６は、例えば、
『現在のバッテリの残量ではＤＶＤ−ＶｉｄｅｏのチャプタＭで再生がストップします。以下を選択願います。
Ａ．Ｎｙ倍速で再生して、最後まで再生します。
Ｂ．そのまま再生します。
チャプタＭの再生終了で自動的にストップします。特典映像はｆ分ありますが、再生できません。
Ｃ．再生を終了します。』
が表示される。【０２１０】
〔第５の実施の形態〕【０２１１】
次に、本発明の第５の実施の形態について、図２５を参照して説明する。図２５は、第５の実施の形態に係るＰＣ２を示す図である。図２５において、図１と同一部分には同一符号を付してある。【０２１２】
この実施の形態のＰＣ２では、サウスブリッジ５４に接続されたＵＳＢ（Universal Serial Bus）コネクタ８８が備えられ、このＵＳＢコネクタ８８を通してＵＳＢ機器であるドライブ装置９０が接続されている。ドライブ装置９０はＤＶＤドライブ３６に代えてＤＶＤ−Ｖｉｄｅｏ３８の他、他の記録媒体の再生に用いる。【０２１３】
外付けのドライブ装置９０を用いてＤＶＤ−Ｖｉｄｅｏ３８等の記録媒体を再生する場合にも、バッテリ１６の残容量に応じた負荷制御や再生制御を実行し、その記録媒体の全部再生又は特定範囲までの再生を行うことができる。【０２１４】
なお、この実施の形態では、ＵＳＢを用いているが、外付けのドライブ装置９０はＵＳＢ以外のインタフェースを用いてもよい。【０２１５】
〔その他の実施の形態等〕【０２１６】
上記実施の形態の変形例や特徴事項等について、以下に列挙する。【０２１７】
(1) 上記実施の形態では、記録媒体としてＤＶＤ−Ｖｉｄｅｏを例示したが、他の光ディスクや磁気ディスク等の記録媒体であってもよい。【０２１８】
(2) 上記実施の形態では、記録データの再生として、映像を例示したが、映像を含む文字データの再生であってもよく、本発明は映像再生に限定されるものではない。【０２１９】
(3) 再生途上においても、常にバッテリ１６の残容量を監視し、再生速度を制御する構成とすれば、ＤＶＤ−Ｖｉｄｅｏの全部再生ないし所定範囲の再生を確実に行うことができる。【０２２０】
以上述べたように、本発明の最も好ましい実施の形態等について説明したが、本発明は、上記記載に限定されるものではなく、請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０２２１】
本発明は、記録媒体から記録データを再生する機能を備え、バッテリで駆動可能な電子機器に関し、バッテリの残容量に応じてＤＶＤ−Ｖｉｄｅｏ等の記録媒体の再生制御を行えるので、記録媒体の全部再生又は所望の再生範囲までの再生を完了させることができ、再生の中断防止や操作の迅速化等を図ることができ、有用である。
【図１】
2008041308.tif 000003
【図２】
2008041308.tif 000004
【図３】
2008041308.tif 000005
【図４】
2008041308.tif 000006
【図５】
2008041308.tif 000007
【図６】
2008041308.tif 000008
【図７】
2008041308.tif 000009
【図８】
2008041308.tif 000010
【図９】
2008041308.tif 000011
【図１０】
2008041308.tif 000012
【図１１】
2008041308.tif 000013
【図１２】
2008041308.tif 000014
【図１３】
2008041308.tif 000015
【図１４】
2008041308.tif 000016
【図１５】
2008041308.tif 000017
【図１６】
2008041308.tif 000018
【図１７】
2008041308.tif 000019
【図１８】
2008041308.tif 000020
【図１９】
2008041308.tif 000021
【図２０】
2008041308.tif 000022
【図２１】
2008041308.tif 000023
【図２２】
2008041308.tif 000024
【図２３】
2008041308.tif 000025
【図２４】
2008041308.tif 000026
【図２５】
2008041308.tif 000027
【手続補正書】
【提出日】平成20年10月30日(2008.10.30)
【手続補正１】
【補正対象書類名】特許請求の範囲
【補正対象項目名】全文
【補正方法】変更
【補正の内容】
【特許請求の範囲】
【請求項１】
記録媒体から記録データを再生する機能を備え、バッテリで駆動可能な電子機器であって、
再生前又は再生中の前記バッテリの残容量と前記記録データの再生に必要な消費電力とを比較し、前記消費電力が前記残容量を超える場合には、前記残容量に応じて前記記録データの再生を制御する制御部を備えることを特徴とする電子機器。
【請求項２】
請求項１の電子機器において、
前記制御部は、前記消費電力と前記バッテリの残容量とを比較し、前記記録媒体の全部再生又は特定の記録データの範囲の再生が可能な再生速度を求め、該再生速度に前記記録媒体の再生を制御することを特徴とする電子機器。
【請求項３】
請求項１の電子機器において、
前記制御部は、前記記録媒体の再生前に、前記バッテリに対する負荷を軽減するための負荷制御を行えば、前記記録媒体の前記記録データの全部再生又は所定範囲の再生が可能であるか否かを判定し、前記再生が可能であれば、前記負荷制御の後、前記記録媒体の再生に移行し、前記再生が不可であれば、前記負荷制御の後、前記バッテリの残容量に応じて前記記録データの再生を制御することを特徴とする電子機器。
【請求項４】
請求項３の電子機器において、
前記負荷制御は、前記記録媒体の再生に直接的に関係しない、一又は複数の機能の停止、機能部の電力編成の変更、又は、一又は複数の機能部の動作停止又は動作変更の何れから選択される一又は２以上によって前記バッテリに対する負荷を低減することを特徴とする電子機器。
【請求項５】
請求項４の電子機器において、
前記記録媒体の再生に直接的に関係しない一又は複数の機能は、前記記録媒体の再生に直接的に関係しない一又は複数のアプリケーションであることを特徴とする電子機器。
【請求項６】
請求項４の電子機器において、
前記機能部の電力編成の変更は、前記制御部の電力スキームの変更であることを特徴とする電子機器。
【請求項７】
請求項４の電子機器において、
前記記録媒体の再生に直接的に関係しない一又は複数の機能部の動作変更は前記記録データの再生出力を表示する表示部のバックライトの輝度であることを特徴とする電子機器。
【請求項８】
請求項７の電子機器において、
前記表示部のバックライトのバックライトレベルを変更した際に、再生に移行する場合には、前記表示部に前記バックライトレベルの変更を表すメッセージを表示することを特徴とする電子機器。
【請求項９】
コンピュータによって実行され、記録媒体から記録データを再生する機能を備えてバッテリで駆動可能な電子機器の制御プログラムであって、
再生前又は再生中の前記バッテリの残容量と前記記録データの再生に必要な消費電力とを比較し、前記消費電力が前記残容量を超える場合には、前記残容量に応じて前記記録データの再生を制御するステップを含むことを特徴とする、電子機器の制御プログラム。
【手続補正３】
【補正対象書類名】明細書
【補正対象項目名】０００１
【補正方法】変更
【補正の内容】
【０００１】
本発明は、ＤＶＤ−Ｖｉｄｅｏ（Digital Versatile Disc-Video）等の記録媒体から画像等の記録再生をバッテリ駆動で行えるパーソナルコンピュータ（ＰＣ）等、バッテリ駆動時に記録再生が可能な電子機器に関し、特に、バッテリの残容量に応じた再生制御をする電子機器及びその制御プログラムに関する。
【国際調査報告】
2008041308.tif 000028
2008041308.tif 000029
2008041308.tif 000030